(57)【要約】  本発明の実施形態は、ユーザ機器ＵＥによって、最大送信電力を取得することと、ＵＥによって、最大送信電力及び第１のパラメータに基づいて、データチャネルの送信電力及び／又は制御チャネルの送信電力を決定することであって、第１のパラメータは、データチャネルの帯域幅、制御チャネルの帯域幅、又は第１のリンクのキャリアのキャリアタイプのうちの少なくとも１つを含む、決定することと、ＵＥによって、制御チャネル及びデータチャネルを同じサブフレーム内で送信することと、含むデータ送信方法を提供する。従って、本発明の実施形態においては、データチャネル及び制御チャネルが同じサブフレーム内で送信されるとき、データチャネルの送信電力及び制御チャネルの送信電力は、最大送信電力、データチャネルの帯域幅、制御チャネルの帯域幅、又は第１のリンクのキャリアのキャリアタイプのうちの少なくとも１つに基づいて決定されることができ、制御情報及びデータの送信電力を適切に決定する。
2019533364.tif 000002
【特許請求の範囲】
【請求項１】
データ送信方法であって、
ユーザ機器ＵＥによって、最大送信電力を取得することと、
前記ＵＥによって、前記最大送信電力及び第１のパラメータに基づいて、データチャネルの送信電力及び／又は制御チャネルの送信電力を決定することであって、該第１のパラメータは、該データチャネルの帯域幅、該制御チャネルの帯域幅、又は該第１のリンクのキャリアのキャリアタイプのうちの少なくとも１つを含む、決定することと、
前記ＵＥによって、前記制御チャネル及び前記データチャネルを同じサブフレーム内で送信することと、を含む方法。
【請求項２】
前記ＵＥによって、前記最大送信電力及び第１のパラメータに基づいて、データチャネルの送信電力及び／又は制御チャネルの送信電力を決定することは、
第１の電力と前記最大送信電力の間の比例関係に基づいて電力倍率を決定することであって、該第１の電力は前記データチャネルの第２の電力と前記制御チャネルの第３の電力との合計であり、該第２の電力は前記第１のパラメータに含まれる前記データチャネルの帯域幅及び／又は前記制御チャネルの帯域幅に基づいて決定され、該第３の電力は、前記第１のパラメータに含まれる前記データチャネルの帯域幅及び／又は前記制御チャネルの帯域幅に基づいて決定される、決定することと、
前記倍率に基づいて前記制御チャネルの送信電力及び／又は前記データチャネルの送信電力を決定することと、を含む、請求項１に記載の方法。
【請求項３】
第１の電力と前記最大送信電力の間の比例関係に基づいて電力倍率を決定することは、
前記第１の電力に対する前記最大送信電力の比率を決定することと、
前記倍率の値として前記比率と１のうちの小さい方の値を決定することと、を含む、請求項２に記載の方法。
【請求項４】
前記電力倍率に基づいて前記制御チャネルの送信電力及び／又は前記データチャネルの送信電力を決定することは、
前記データチャネルの送信電力として、前記電力倍率と前記第２の電力との積を使用すること、及び／又は
前記制御チャネルの送信電力として、前記電力倍率と前記第３の電力との積を使用すること、を含む、請求項２又は３に記載の方法。
【請求項５】
前記第１のパラメータは、前記制御チャネルの送信帯域幅及び前記データチャネルの送信帯域幅を含み、前記ＵＥによって、前記最大送信電力及び第１のパラメータに基づいてデータチャネルの送信電力及び／又は制御チャネルの送信電力を決定することは、
第１の電力が前記最大送信電力よりも大きいかどうかを決定することであって、前記第１の電力が前記データチャネルの第２の電力と前記制御チャネルの第３の電力との合計である、決定すること、及び
前記第１の電力が前記最大送信電力よりも大きいとき、前記最大送信電力、前記制御チャネルの送信帯域幅、及び前記データチャネルの送信帯域幅に基づいて前記データチャネルの送信電力を決定すること、及び／又は
前記最大送信電力、前記制御チャネルの送信帯域幅、及び前記データチャネルの送信帯域幅に基づいて、前記制御チャネルの送信電力を決定すること、又は
前記データチャネルの送信電力、前記制御チャネルの送信帯域幅、及び前記データチャネルの送信帯域幅に基づいて、前記制御チャネルの送信電力を決定すること、を含む、請求項１に記載の方法。
【請求項６】
前記ＵＥによって、前記最大送信電力及び第１のパラメータに基づいて、データチャネルの送信電力及び／又は制御チャネルの送信電力を決定することは、
前記最大送信電力と第１の追加項目との合計に基づいて、前記制御チャネルの送信電力及び／又は前記データチャネルの送信電力を決定することを含み、
前記第１の追加項目は、前記制御チャネルの帯域幅及び前記データチャネルの帯域幅に基づいて決定される、請求項５に記載の方法。
【請求項７】
前記ＵＥによって、前記最大送信電力及び第１のパラメータに基づいてデータチャネルの送信電力及び／又は制御チャネルの送信電力を決定することは、
第１の電力が前記最大送信電力よりも大きいかどうかを決定することであって、該第１の電力は前記データチャネルの第２の電力と前記制御チャネルの第３の電力との合計である、決定することと、
前記第１の電力が前記最大電力よりも大きいとき、倍率及び前記第２の電力に基づいて前記データチャネルの送信電力を決定し、該倍率及び前記第３の電力に基づいて前記制御チャネルの送信電力を決定することであって、前記倍率は、前記第１の電力に対する前記最大送信電力の比率以下である、決定することと、を含む、請求項１に記載の方法。
【請求項８】
前記最大送信電力は、
前記ＵＥの最大送信電力又は最大利用可能送信電力、
前記サブフレーム内のすべてのキャリアでの最大送信電力又は最大利用可能送信電力、
前記サブフレーム内の現在のキャリアでの最大送信電力又は最大利用可能送信電力、
前記制御チャネル又は前記データチャネルに設定される、又は示される最大送信電力、及び
基地局によって設定される最大送信電力値、又はあらかじめ定められた最大送信電力値
のうちの１つである、請求項１から７のいずれか一項に記載の方法。
【請求項９】
当該方法はさらに、前記ＵＥによって、前記最大送信電力及び第１のパラメータに基づいてデータチャネルの送信電力及び制御チャネルの送信電力を決定する前に、
前記第１のリンクのキャリアが第１のタイプのキャリアであると決定することを含む、請求項１から８のいずれか一項に記載の方法。
【請求項１０】
前記第１のパラメータは、前記第１のリンクのキャリアのキャリアタイプを含み、前記ＵＥによって、前記最大送信電力及び第１のパラメータに基づいてデータチャネルの送信電力及び制御チャネルの送信電力を決定することは、
前記第１のリンクのキャリアが第２のタイプのキャリアであるとき、前記データチャネルの最大送信電力を前記データチャネルの送信電力として決定すること、及び／又は
前記データチャネルの送信電力、前記データチャネルの帯域幅、及び前記制御チャネルの帯域幅に基づいて前記制御チャネルの送信電力を決定すること、又は
前記制御チャネルの最大送信電力を前記制御チャネルの最大送信電力として決定すること、を含む、請求項１から９のいずれか一項に記載の方法。
【請求項１１】
前記第１のタイプのキャリアは、前記第１のリンクのキャリアが前記第１のリンク及び第２のリンクを含むこと、前記第１のリンクのキャリアが電力制御パラメータを決定するために使用される参照信号を含むこと、前記第１のリンクのキャリアのタイプが指示情報に基づいて前記第１のタイプのキャリアであると決定されること、及び前記第１のリンクのキャリアの送信電力パラメータを決定するための指示情報が含まれることの特性のうちの少なくとも１つに基づいて決定される、請求項９又は１０に記載の方法。
【請求項１２】
前記第２のタイプのキャリアは、前記第１のリンクのキャリアが第１の送信のみを含むこと、前記第１のリンクのキャリアが前記電力制御パラメータを決定するために使用される参照信号を含まないこと、前記第１のリンクのキャリアの送信電力パラメータを決定するための指示情報が含まれないこと、又は前記第１のリンクのキャリアのタイプが前記指示情報に基づいて前記第２のタイプのキャリアであると決定されることの特性のうちの少なくとも１つに基づいて決定される、請求項９から１１のいずれか一項に記載の方法。
【請求項１３】
前記データチャネルの第２の電力値は、前記ＵＥとサービングセルの間のパスロスに基づいて決定される電力値である、又は
前記データチャネルの第２の電力値は、前記データチャネルでの最大電力値と、前記ＵＥとサービングセルの間のパスロスに基づいて決定される電力値とのうちの小さい方の値である、及び
前記制御チャネルの第３の電力は、前記ＵＥと前記サービングセルの間の前記パスロスに基づいて決定される前記制御チャネルの電力値である、若しくは
前記制御チャネルの第３の電力は、前記データチャネルの電力値と、前記データチャネル及び前記制御チャネルの帯域幅とに基づいて決定される電力値である、又は
前記制御チャネルの第３の電力値は、前記データチャネルでの最大電力値と、前記ＵＥと前記サービングセルの間の前記パスロスに基づいて決定される前記データチャネルの電力値とのうちの小さい方の値である、請求項１から１２のいずれか一項に記載の方法。
【請求項１４】
取得ユニットであって、該取得ユニットは最大送信電力を取得するように構成される、取得ユニットと、
決定ユニットであって、該決定ユニットは前記最大送信電力及び第１のパラメータに基づいて、データチャネルの送信電力及び／又は制御チャネルの送信電力を決定するように構成され、該第１のパラメータは、前記データチャネルの帯域幅、前記制御チャネルの帯域幅、又は前記第１のリンクのキャリアのキャリアタイプのうちの少なくとも１つを含む、決定ユニットと、
送信ユニットであって、該送信ユニットは前記制御チャネル及び前記データチャネルを同じサブフレーム内で送信するように構成される、送信ユニットと、を含む端末デバイス。
【請求項１５】
前記決定ユニットは、第１の電力と前記最大送信電力の間の比例関係に基づいて電力倍率を決定することであって、該第１の電力は前記データチャネルの第２の電力と前記制御チャネルの第３の電力との合計であり、該第２の電力は前記第１のパラメータに含まれる前記データチャネルの帯域幅及び／又は前記制御チャネルの帯域幅に基づいて決定され、該第３の電力は前記第１のパラメータに含まれる前記データチャネルの帯域幅及び／又は前記制御チャネルの帯域幅に基づいて決定される、決定することと、
前記倍率に基づいて前記制御チャネルの送信電力及び／又は前記データチャネルの送信電力を決定することと、を行うように具体的に構成される、請求項１４に記載の端末デバイス。
【請求項１６】
前記決定ユニットは、前記第１の電力に対する前記最大送信電力の比率を決定することと、前記倍率の値として前記比率と１のうちの小さい方の値を決定することと、を行うように具体的に構成される、請求項１５に記載の端末デバイス。
【請求項１７】
前記決定ユニットは、前記データチャネルの送信電力として、前記電力倍率と前記第２の電力との積を使用すること、及び／又は前記制御チャネルの送信電力として、前記電力倍率と前記第３の電力との積を使用すること、を行うように具体的に構成される、請求項１５又は１６に記載の端末デバイス。
【請求項１８】
前記決定ユニットは、
第１の電力が前記最大送信電力よりも大きいかどうかを決定することであって、前記第１の電力が前記データチャネルの第２の電力と前記制御チャネルの第３の電力との合計である、決定すること、
前記第１の電力が前記最大送信電力よりも大きいとき、前記最大送信電力、前記制御チャネルの送信帯域幅、及び前記データチャネルの送信帯域幅に基づいて前記データチャネルの送信電力を決定すること、及び／又は
前記最大送信電力、前記制御チャネルの送信帯域幅、及び前記データチャネルの送信帯域幅に基づいて、前記制御チャネルの送信電力を決定すること、又は
前記データチャネルの送信電力、前記制御チャネルの送信帯域幅、及び前記データチャネルの送信帯域幅に基づいて、前記制御チャネルの送信電力を決定すること、を行うように具体的に構成される、請求項１４に記載の端末デバイス。
【請求項１９】
前記決定ユニットは、前記最大送信電力と第１の追加項目との合計に基づいて、前記制御チャネルの送信電力及び／又は前記データチャネルの送信電力を決定することを行うように具体的に構成され、前記第１の追加項目は、前記制御チャネルの帯域幅及び前記データチャネルの帯域幅に基づいて決定される、請求項１８に記載の端末デバイス。
【請求項２０】
前記決定ユニットは、第１の電力が前記最大送信電力よりも大きいかどうかを決定することであって、前記第１の電力は前記データチャネルの第２の電力と前記制御チャネルの第３の電力との合計である、決定することと、前記第１の電力が前記最大電力よりも大きいとき、倍率及び前記第２の電力に基づいて前記データチャネルの送信電力を決定し、該倍率及び前記第３の電力に基づいて前記制御チャネルの送信電力を決定することであって、前記倍率は、前記第１の電力に対する前記最大送信電力の比率以下である、決定することと、行うように具体的に構成される、請求項１４に記載の端末デバイス。
【請求項２１】
前記最大送信電力は、
前記ＵＥの最大送信電力又は最大利用可能送信電力、
前記サブフレーム内のすべてのキャリアでの最大送信電力又は最大利用可能送信電力、
前記サブフレーム内の現在のキャリアでの最大送信電力又は最大利用可能送信電力、
前記制御チャネル又は前記データチャネルに設定される、又は示される最大送信電力、及び
基地局によって設定される最大送信電力値、又はあらかじめ定められた最大送信電力値
のうちの１つである、請求項１４から２０のいずれか一項に記載の端末デバイス。
【請求項２２】
前記決定ユニットは、さらに
前記第１のリンクのキャリアが第１のタイプのキャリアであると決定することを行うように具体的に構成される、請求項１４から２１のいずれか一項に記載の端末デバイス。
【請求項２３】
前記決定ユニットは、前記第１のリンクのキャリアが第２のタイプのキャリアであるとき、前記データチャネルの最大送信電力を前記データチャネルの送信電力として決定する、及び／又は前記データチャネルの送信電力、前記データチャネルの帯域幅、及び前記制御チャネルの帯域幅に基づいて前記制御チャネルの送信電力を決定する、又は前記制御チャネルの最大送信電力を前記制御チャネルの最大送信電力として決定する、ように具体的に構成される、請求項１４から２２のいずれか一項に記載の端末デバイス。
【請求項２４】
前記第１のタイプのキャリアは、前記第１のリンクのキャリアが前記第１のリンク及び第２のリンクを含むこと、前記第１のリンクのキャリアが電力制御パラメータを決定するために使用される参照信号を含むこと、前記第１のリンクのキャリアのタイプが指示情報に基づいて前記第１のタイプのキャリアであると決定されること、又は前記第１のリンクのキャリアの送信電力パラメータを決定するための指示情報が含まれることの特性のうちの少なくとも１つに基づいて決定される、請求項１４から２３のいずれか一項に記載の端末デバイス。
【請求項２５】
前記第２のタイプのキャリアは、前記第１のリンクのキャリアが第１の送信のみを含むこと、前記第１のリンクのキャリアが前記電力制御パラメータを決定するために使用される参照信号を含まないこと、前記第１のリンクのキャリアの送信電力パラメータを決定するための指示情報は含まれないこと、又は前記第１のリンクのキャリアのタイプは前記指示情報に基づいて前記第２のタイプのキャリアであると決定されることの特性のうちの少なくとも１つに基づいて決定される、請求項１４から２１のいずれか一項に記載の端末デバイス。
【請求項２６】
前記データチャネルの第２の電力値は、前記ＵＥとサービングセルの間のパスロスに基づいて決定される電力値である、又は
前記データチャネルの第２の電力値は、前記データチャネルでの最大電力値と、前記ＵＥとサービングセルの間のパスロスに基づいて決定される電力値とのうちの小さい方の値である、及び
前記制御チャネルの第３の電力は、前記ＵＥと前記サービングセルの間の前記パスロスに基づいて決定される前記制御チャネルの電力値である、若しくは
前記制御チャネルの第３の電力は、前記データチャネルの電力値と、前記データチャネル及び前記制御チャネルの帯域幅とに基づいて決定される電力値である、又は
前記制御チャネルの第３の電力値は、前記データチャネルでの最大電力値と、前記ＵＥと前記サービングセルの間の前記パスロスに基づいて決定される前記データチャネルの電力値とのうちの小さい方の値である、請求項１４から２１のいずれか一項に記載の端末デバイス。
【発明の詳細な説明】
【技術分野】
【０００１】
本発明の実施形態は、通信分野、より具体的には、データ送信方法及びその端末デバイスに関連する。
【背景技術】
【０００２】
近年、インテリジェント技術の発展に伴い、インテリジェント交通や無人運転などの技術がより注目を集めている。前述の産業を発展させるために、インターネット・オブ・ビークルの技術及び標準が極めて重要である。インターネット・オブ・ビークル技術によれば、ビークル・ツー・エブリシング（Vehicle  to  X、Ｖ２Ｘ）通信は、ビークル・ツー・ビークル（Vehicle  to  Vehicle、Ｖ２Ｖ）通信、ビークル・ツー・インフラストラクチャ（Vehicle  to  Infrastructure、Ｖ２Ｉ）通信、ビークル・ツー・ペデストリアン（Vehicle  to  Pedestrian、Ｖ２Ｐ）通信、ペデストリアン・ツー・ビークル（Pedestrian  to  Vehicle、Ｐ２Ｖ）通信等を含む。Ｖ２Ｘ通信における基本的な問題は、様々な複雑な環境で車両と様々なデバイスの間でどのように効率的な通信を達成するか、特に、どのように通信信頼性を向上し、通信遅延を減らすかである。
【０００３】
第３世代パートナシッププロジェクト（3rd  Generation  Partnership  Project、３ＧＰＰ）は、既存のデバイス・ツー・デバイス（Device  to  Device、Ｄ２Ｄ）プロトコルに基づいてインターネット・オブ・ビークルが研究されることを推奨している。しかし、既存のＤ２Ｄプロトコルでは、Ｖ２Ｘ通信のために使用される制御情報及びデータ情報は異なる時間に送信され、追加の遅延をもたらす。Ｖ２Ｘ通信の研究では、遅延を減らすために制御情報及びデータ情報が同じサブフレーム内で送信されることが推奨される。しかし、これは、Ｖ２Ｘ通信の制御チャネルとデータチャネルの間でどのように送信電力を割り当てるかという新たな問題を引き起こす。
【発明の概要】
【０００４】
本発明の一実施形態は、制御情報及びデータ情報のための送信電力を効果的に割り当てるデータ送信方法を提供する。
【０００５】
第１の態様によれば、データ送信方法が提供され、その方法は、ユーザ機器ＵＥによって、最大送信電力を取得することと、ＵＥによって、最大送信電力及び第１のパラメータに基づいてデータチャネルの送信電力及び／又は制御チャネルの送信電力を決定することであって、第１のパラメータは、データチャネルの帯域幅、制御チャネルの帯域幅、又は第１のリンクのキャリアのキャリアタイプのうちの少なくとも１つを含む、決定することと、ＵＥによって、制御チャネル及びデータチャネルを同じサブフレーム内で送信することと、を含む。
【０００６】
したがって、本発明のこの実施形態では、データチャネル及び制御チャネルが同じサブフレーム内で送信されるとき、データチャネルの送信電力及び制御チャネルの送信電力は、最大送信電力、データチャネルの帯域幅、制御チャネルの帯域幅、又は第１のリンクのキャリアのキャリアタイプのうちの少なくとも１つに基づいて決定されることができ、制御情報及びデータの送信電力を適切に決定する。
【０００７】
第１の態様を参照して、第１の態様の第１の可能な実施態様では、ＵＥによって、最大送信電力及び第１のパラメータに基づいてデータチャネルの送信電力及び／又は制御チャネルの送信電力を決定することは、第１の電力と最大送信電力の間の比例関係に基づいて電力倍率を決定することであって、第１の電力はデータチャネルの第２の電力と制御チャネルの第３の電力との合計であり、第２の電力は第１のパラメータに含まれるデータチャネルの帯域幅及び／又は制御チャネルの帯域幅に基づいて決定され、第３の電力は、第１のパラメータに含まれるデータチャネルの帯域幅及び／又は制御チャネルの帯域幅に基づいて決定される、決定することと、倍率に基づいて制御チャネルの送信電力及び／又はデータチャネルの送信電力を決定することと、を含む。
【０００８】
したがって、本発明のこの実施形態は、同じサブフレーム内で送信されるデータチャネル及び制御チャネルに対する送信電力割り当て方法を提供することができ、最大送信電力が制限されるときに使用される電力割り当て方法を提供する。
【０００９】
第１の態様及び第１の態様の前述の実施態様を参照して、第１の態様の第２の可能な実施態様では、第１の電力と最大送信電力の間の比例関係に基づいて電力倍率を決定することは、第１の電力に対する最大送信電力の比率を決定することと、倍率の値としてその比率と１とのうちの小さい方の値を決定することを含む。
【００１０】
第１の態様及び第１の態様の前述の実施態様を参照して、第１の態様の第３の可能な実施態様では、電力倍率に基づいて制御チャネルの送信電力及び／又はデータチャネルの送信電力を決定することは、データチャネルの送信電力として、電力倍率と第２の電力との積を使用すること、及び／又は制御チャネルの送信電力として、電力倍率と第３の電力との積を使用することを含む。
【００１１】
第１の態様及び第１の態様の前述の実施態様を参照して、第１の態様の第４の可能な実施態様では、第１のパラメータは制御チャネルの送信帯域幅及びデータチャネルの送信帯域幅を含み、ＵＥによって、最大送信電力及び第１のパラメータに基づいてデータチャネルの送信電力及び／又は制御チャネルの送信電力を決定することは、第１の電力が最大送信電力よりも大きいかどうかを決定することであって、第１の電力は、データチャネルの第２の電力と制御チャネルの第３の電力との合計である、決定すること、第１の電力が最大送信電力よりも大きいとき、最大送信電力、制御チャネルの送信帯域幅、及びデータチャネルの送信帯域幅に基づいてデータチャネルの送信電力を決定すること、及び／又は最大送信電力、制御チャネルの送信帯域幅、及びデータチャネルの送信帯域幅に基づいて制御チャネルの送信電力を決定すること、又はデータチャネルの送信電力、制御チャネルの送信帯域幅、及びデータチャネルの送信帯域幅に基づいて制御チャネルの送信電力を決定すること、を含む。
【００１２】
第１の態様及び第１の態様の前述の実施態様を参照して、第１の態様の第５の可能な実施態様では、ＵＥによって、最大送信電力及び第１のパラメータに基づいてデータチャネルの送信電力及び／又は制御チャネルの送信電力を決定することは、最大送信電力と第１の追加項目の合計に基づいて制御チャネルの送信電力及び／又はデータチャネルの送信電力を決定することであって、第１の追加項目は、制御チャネルの帯域幅及びデータチャネルの帯域幅に基づいて決定される、決定することを含む。
【００１３】
第１の態様及び第１の態様の前述の実施態様を参照して、第１の態様の第６の可能な実施態様では、ＵＥによって、最大送信電力及び第１のパラメータに基づいてデータチャネルの送信電力及び／又は制御チャネルの送信電力を決定することは、第１の電力が最大送信電力よりも大きいかどうかを決定することであって、第１の電力はデータチャネルの第２の電力と制御チャネルの第３の電力との合計である、決定することと、第１の電力が最大電力よりも大きいとき、倍率及び第２の電力に基づいてデータチャネルの送信電力を決定し、倍率及び第３の電力に基づいて制御チャネルの送信電力を決定することであって、倍率は第１の電力に対する最大送信電力の比率以下である、決定することと、を含む。
【００１４】
第１の態様及び第１の態様の前述の実施態様を参照して、第１の態様の第７の可能な実施態様では、最大送信電力は、ＵＥの最大送信電力又は最大利用可能送信電力、アップリンクサブフレーム内のすべてのキャリアでの最大送信電力又は最大利用可能送信電力、サブフレーム内の現在のキャリアでの最大送信電力又は最大利用可能送信電力、制御チャネル又はデータチャネルに設定される、又は示される最大送信電力、及び基地局によって設定される最大送信電力値又はあらかじめ定められた最大送信電力値のうちの１つである。
【００１５】
第１の態様及び第１の態様の前述の実施態様を参照して、第１の態様の第８の可能な実施態様では、ＵＥによって、最大送信電力及び第１のパラメータに基づいてデータチャネルの送信電力及び制御チャネルの送信電力を決定することの前に、その方法はさらに、
第１のリンクのキャリアが第１のタイプのキャリアであると決定することを含む。
【００１６】
第１のリンクのキャリアが第１のタイプのキャリアであると決定されるとき、第１の態様、又は第１の態様の第１から第７の可能な実施態様のいずれか１つが実行されると理解されたい。
【００１７】
第１の態様及び第１の態様の前述の実施態様を参照して、第１の態様の第９の可能な実施態様では、第１のパラメータは第１のリンクのキャリアのキャリアタイプを含み、ＵＥによって、最大送信電力及び第１のパラメータに基づいてデータチャネルの送信電力及び制御チャネルの送信電力を決定することは、第１のリンクのキャリアが第２のタイプのキャリアであるとき、データチャネルの送信電力として、データチャネルの最大送信電力を決定すること、及び／又はデータチャネルの送信電力、データチャネルの帯域幅、及び制御チャネルの帯域幅に基づいて制御チャネルの送信電力を決定すること、又は制御チャネルの最大送信電力として、制御チャネルの最大送信電力を決定することを含む。
【００１８】
第１の態様及び第１の態様の前述の実施態様を参照して、第１の態様の第１０の可能な実施態様では、第１のタイプのキャリアは、第１のリンクのキャリアが第１のリンク及び第２のリンクを含むこと、第１のリンクのキャリアが電力制御パラメータを決定するために使用される参照信号を含むこと、第１のリンクのキャリアのタイプが指示情報に基づいて第１のタイプのキャリアであると決定されること、又は第１のリンクのキャリアの送信電力パラメータを決定するための指示情報が含まれることの特性のうちの少なくとも１つに基づいて決定される。
【００１９】
第１の態様及び第１の態様の前述の実施態様を参照して、第１の態様の第１１の可能な実施態様では、第２のタイプのキャリアは、第１のリンクのキャリアが第１の送信のみを含むこと、第１のリンクのキャリアが電力制御パラメータを決定するために使用される参照信号を含まないこと、第１のリンクのキャリアの送信電力パラメータを決定するための指示情報が含まれないこと、又は第１のリンクのキャリアのタイプが指示情報に基づいて第２のタイプのキャリアであると決定されることの特性のうちの少なくとも１つに基づいて決定される。
【００２０】
第１の態様及び第１の態様の前述の実施態様を参照して、第１の態様の第１２の可能な実施態様では、データチャネルの第２の電力値は、ＵＥとサービングセルの間のパスロスに基づいて決定される電力値である、若しくはデータチャネルの第２の電力値はデータチャネルでの最大電力値と、ＵＥとサービングセルの間のパスロスに基づいて決定される電力値とのうちの小さい方の値であり、又は制御チャネルの第３の電力は、ＵＥとサービングセルの間のパスロスに基づいて決定される制御チャネルの電力値であり、又は制御チャネルの第３の電力は、データチャネルの電力値と、データチャネル及び制御チャネルの帯域幅とに基づいて決定される電力値であり、若しくは制御チャネルの第３の電力値は、データチャネルでの最大電力値と、ＵＥとサービングセルとの間のパスロスに基づいて決定されたデータチャネルの電力値とのうちの小さい方の値である。
【００２１】
第２の態様によれば、第１の態様又は第１の態様の任意の可能な実施態様における方法を実行するように構成された端末デバイスが提供される。具体的には、端末デバイスは、第１の態様又は第１の態様の任意の可能な実施態様における方法を実行するためのユニットを含む。
【００２２】
第３の態様によれば、装置が提供され、装置はトランシーバ、メモリ、プロセッサ、及びバスシステムを含む。トランシーバ、メモリ、及びプロセッサはバスシステムを使用することによって接続され、メモリは命令を記憶するように構成され、プロセッサはメモリに記憶された命令を実行して、信号を受信及び／又は送信するようにトランシーバを制御するように構成される。プロセッサがメモリに記憶された命令を実行するとき、プロセッサは、第１の態様又は第１の態様の任意の可能な実施態様における方法を実行する。
【００２３】
第４の態様によれば、コンピュータプログラム製品が提供され、コンピュータプログラム製品はコンピュータプログラムコードを含む。コンピュータプログラムコードが受信ユニット、処理ユニット、及び送信ユニット、又は端末装置の受信器、プロセッサ、及び送信器によって実行されるとき、端末デバイスは、第１の態様及び第１の態様の実施態様における任意のデータ送信方法を実行する。
【００２４】
第５の態様によれば、コンピュータ可読記憶媒体が提供され、コンピュータ可読記憶媒体はプログラムを記憶し、プログラムは、ユーザ機器が第１の態様及び第１の態様の実施態様における任意のデータ送信方法を実行することを可能にする。
【図面の簡単な説明】
【００２５】
本発明の実施形態における技術的解決策をより明確に説明するために、以下は、本発明の実施形態を説明するために必要とされる添付図面を簡単に説明する。明らかに、以下の説明での添付図面は、本発明の一部の実施形態を示すにすぎず、当業者は、創造的な努力をせずとも、これらの添付図面から別の図面をさらに導出してよい。
【００２６】
【図１】本発明の一実施形態によるＶ２Ｖ通信シナリオの概略図である。
【図２】本発明の一実施形態による適用シナリオの概略図である。
【図３】本発明の一実施形態による適用シナリオの別の概略図である。
【図４】本発明の一実施形態による適用シナリオの別の概略図である。
【図５Ａ】本発明の一実施形態による、ＳＡ及びデータが同じサブフレーム内にあることを示す概略図である。
【図５Ｂ】本発明の一実施形態による、ＳＡ及びデータが同じサブフレーム内にあることを示す概略図である。
【図６】本発明の一実施形態による送信電力を決定するための方法のフローチャートである。
【図７】本発明の一実施形態による端末デバイスの概略ブロック図である。
【図８】本発明の一実施形態による装置の概略ブロック図である。
【発明を実施するための形態】
【００２７】
以下は、本発明の実施形態における添付図面を参照して、本発明の実施形態における技術的解決策を明確かつ完全に説明する。明らかに、説明される実施形態は、本発明の実施形態の一部であって、すべてではない。創造的な努力をせずとも本発明の実施形態に基づいて当業者によって得られる他のすべての実施形態は、本発明の保護範囲内に入るものとする。
【００２８】
図１は、本発明の一実施形態によるＶ２Ｖ通信シナリオの概略図である。図１は、車線上の４台の車両間の通信の概略図である。
【００２９】
Ｖ２Ｖ通信では、アシスト運転及び自動運転は、複数のオンボード・ユニット（On  board  Unit、ＯＢＵ）間の無線通信を介して実施されてよく、それによって効果的に、交通効率を向上させ、交通事故を防止し、運転リスクを低減する。
【００３０】
図２及び図３は、本発明の実施形態による適用シナリオの概略図である。図２及び図３では、ＵＥ２０は基地局１０と直接通信することができ、ＵＥ２０は中継（relay）ＵＥと呼ばれることがある。ＵＥ３０は基地局１０と直接通信することができない可能性があるが、ＵＥ３０はＵＥ２０と通信することができるため、ＵＥ３０はＵＥ２０を使用することによって基地局１０との通信を実施することができる。ＵＥ３０は遠隔（remote）ＵＥと呼ばれることがある。
【００３１】
図２では、ＵＥ２０と、ＵＥ２０と通信することができるＵＥ３０の間の通信距離は比率較的短く、例えば、１０メートル（ｍ）程度である。図３では、ＵＥ２０と、ＵＥ２０と通信することができるＵＥ３０の間の通信距離は比率較的長く、例えば、１００ｍから１０００ｍ程度である。
【００３２】
図４は、図２及び図３の概略シナリオに基づいた、本発明の一実施形態による実際の適用シナリオの概略図である。図４におけるエボルブド・ノードＢ（evolved  NodeB、ｅＮＢ）は、図２及び図３における基地局１０に相当する。図４における路側機（Road  Side  Unit、ＲＳＵ）、ＵＥ１、ＵＥ２、及びＵＥ３は、図２及び図３におけるＵＥ２０及びＵＥ３０であり得る。例えば、ＲＳＵはＵＥ２０であり、ｅＮＢと直接通信することができる。ＵＥ１、ＵＥ２、及びＵＥ３は、ＵＥ３０であり、ＲＳＵを使用することによってｅＮＢと通信することができる。追加的に、図４はさらに、全球測位衛星システム（Global  Navigation  Satellite  System、ＧＮＳＳ）を示し、これは別のネットワーク要素に位置情報などの情報を提供するために使用され得る。
【００３３】
ＲＳＵは、車両用デバイスとして機能してもよく、ｅＮＢとして機能してもよい。ＵＥ１、ＵＥ２、及びＵＥ３は、車両用デバイスとしてよく、サイドリンク（Sidelink）を使用して互いにＶ２Ｖ通信を行ってよい。車両用デバイスは、車両とともに高速で移動する。例えば、相対移動速度は、ＵＥ１及びＵＥ２が互いに対して移動するときに最も大きい。
【００３４】
図４に示されるデバイスは、通信中にセルラーリンクのスペクトルを使用してもよく、５．９ＧＨｚ付近のインテリジェント・トランスポーテーション・スペクトルを使用してもよい。デバイス間の相互通信のための技術は、ＬＴＥプロトコルに基づいて強化されてもよく、又はＤ２Ｄ技術を使用することによって強化されてもよい。
【００３５】
本発明のこの実施形態では、サイドリンクがＵＥとＵＥの間の通信リンクであり得る。サイドリンクは、Ｄ２Ｄ通信においてＤ２Ｄリンクとも呼ばれ、又は他のいくつかのシナリオではＰＣ５リンクとも呼ばれる。インターネット・オブ・ビークルでは、サイドリンクは、Ｖ２Ｖリンク、ビークル・ツー・インフラストラクチャ（Vehicle  to  Infrastructure、Ｖ２Ｉ）リンク、ビークル・ツー・ペデストリアン（Vehicle  to  Pedestrian、Ｖ２Ｐ）リンク等とも呼ばれることがある。サイドリンクは、情報を次の形式のうちのいずれかで送信してよい。すなわち、ブロードキャスト、ユニキャスト、マルチキャスト、及びグループキャストである。サイドリンクは、セルラーリンクのスペクトルを使用してよく、例えば、セルラーリンクのアップリンク・スペクトルを使用してよい。
【００３６】
本発明のこの実施形態では、ＵＥは端末と呼ばれることもあり、車両上のＯＢＵ、路側ＲＳＵ、歩行者により使用される携帯電話等を含んでよい。
【００３７】
Ｖ２Ｖ通信では、図５に示すように、制御情報（例えばＳＡ）及びデータ（Ｄａｔａ）は、同じサブフレーム内で送信することが推奨される。図５Ａでは、ＳＡ及びデータは同じサブフレーム内の隣接しない周波数領域位置にある。図５Ｂでは、ＳＡ及びデータは同じサブフレーム内の隣接する周波数領域位置にある。言い換えると、ＳＡ及びデータの周波数領域位置は隣接しても隣接していなくてもよい。追加的に、ＳＡは、物理サイドリンク制御チャネル（Physical  Sidelink  Control  Channel、ＰＳＣＣＨ）などの独立した物理チャネルで搬送され得る。代替的には、ＳＡ及びデータは、物理サイドリンク共有チャネル（Physical  Sidelink  Shared  channel、ＰＳＳＣＨ）などの同じ物理チャネルで搬送され得る。
【００３８】
Ｒｅｌ−１２のＤ２Ｄプロトコルでは、ＳＡを搬送するチャネルはＰＳＣＣＨチャネルとも呼ばれ、これはＵＥ間で制御情報を送信するために使用される。制御情報は、時間周波数リソースの位置、リソースサイズ、データ部分を送信するための変調符号化方式（Modulation  and  Coding  Scheme、ＭＣＳ）値等のパラメータ情報を受信機に示すために使用される。Ｒｅｌ−１２のＤ２Ｄでは、ＳＡ及びデータは異なるサブフレームで送信されるため、ＳＡ及びデータの送信電力は、対応するサブフレームで別々に設定され得る。
【００３９】
現在のＬＴＥシステムでは、１つのサブフレームによって占有される持続時間は一般に１ミリ秒（ｍｓ）であるが、１つのサブフレームの持続時間は本発明のこの実施形態において限定されないことに留意されたい。具体的には、本発明のこの実施形態では、１つのサブフレームの持続時間は、１つの送信によって占有される最も基本的な持続時間としてよく、１つのサブフレームの持続時間はあらかじめ定められた持続時間としてよい。例えば、１つのサブフレームの持続時間は、１ｍｓとしてもよく、２ｍｓ、１０ｍｓ等、１ｍｓより長くしてもよく、又は０．６２５ｍｓ、０．１２５ｍｓ、０．２ｍｓ等、１ｍｓより短くしてもよい。
【００４０】
ＳＡ及びデータの並列送信は、マルチキャリア・システムに基づいている。送信機の場合、１サブフレーム内の総利用可能送信電力は固定されている。例えば、総利用可能送信電力は、ＵＥの最大送信電力を超えない。ＳＡ及びデータが同じサブフレーム内で送信されるシナリオでは、基地局が最大送信電力を使用するようにユーザ機器（User  Equipment、ＵＥ）に指示するとき、最大送信電力がＳＡに使用される場合、データに利用可能な送信電力がない。その逆もまた同様である。
【００４１】
本発明のこの実施形態は、ＵＥが同じサブフレーム内でＳＡ及びデータを送信する必要があるときにデータチャネル及び制御チャネルの送信電力をどのように決定するか、特に、ＵＥが最大送信電力を使用するときに、制御情報及びデータに対する送信電力をどのように決定するかという問題を解決することを目的とする。
【００４２】
第１のリンクは、ＵＥ間の通信リンクを示し、Ｄ２Ｄリンク、Ｖ２Ｘリンク、サイドリンク（Sidelink）等であり得る。例えば、第１のリンクは、図２又は図３におけるＵＥ２０とＵＥ３０の間のリンクでもよく、又は図４におけるＲＳＵとＵＥ３の間のリンクでもよい。第１のリンクでの通信は、次の方法のうちのいずれかで実行され得る。すなわち、ユニキャスト、グループキャスト、及びブロードキャストである。
【００４３】
第２のリンクは、ＵＥと基地局の間の通信リンクを示し、セルラーリンクであり得る。例えば、第２のリンクは、図２又は図３におけるＵＥ２０／ＵＥ３０と基地局１０の間のリンクでもよく、又は図４におけるＲＳＵとｅＮＢの間のリンクでもよい。
【００４４】
中継ＵＥ、すなわちRelay  ＵＥは、基地局と直接通信することができ、別のＵＥからのデータを基地局に転送することができるＵＥを示す。例えば、中継ＵＥは、図２又は図３におけるＵＥ２０でもよく、又は図４におけるＲＳＵでもよい。
【００４５】
遠隔ＵＥ、すなわちRemote  ＵＥは、基地局と直接通信することはできない可能性があるが、中継ＵＥを使用することによって基地局と通信することができるＵＥを示す。例えば、遠隔ＵＥは、図２又は図３におけるＵＥ３０でもよく、あるいは図４におけるＵＥ１、ＵＥ２、又はＵＥ３でもよい。
【００４６】
図６は、本発明の一実施形態による方法の概略フローチャートである。その方法はＵＥによって実行され、このＵＥは前述の中継ＵＥでもよいし、又は前述の遠隔ＵＥでもよい。図６に示すように、方法６００は以下のステップを含む。
【００４７】
ステップ６１０。ユーザ機器ＵＥは、第１のリンクの最大送信電力を取得する。
【００４８】
ステップ６２０。ＵＥは、最大送信電力及び第１のパラメータに基づいて、データチャネルの送信電力及び／又は制御チャネルの送信電力を決定する。
【００４９】
第１のパラメータは、次のうち少なくとも１つを含む：データチャネルの帯域幅、制御チャネルの帯域幅、又は第１のリンクのキャリアのキャリアタイプ。
【００５０】
ステップ６３０。ＵＥは、制御チャネル及びデータチャネルを同じサブフレーム内で送信する。
【００５１】
ステップ６１０では、第１のリンクの最大送信電力は、第１のリンクの許容送信電力の閾値である。ＵＥが制御チャネル及びデータチャネルの送信電力をどのように割り当てても、制御チャネルの送信電力とデータチャネルの送信電力の合計は、第１のリンクの許容最大送信電力を超えるべきではない。
【００５２】
最大送信電力は、ＰＣＭＡＸ，ｃ又は
【数００５９】
2019533364.tif 000003
として表され、以下の意味のうちのいずれかを有する。すなわち、
ＵＥ側での最大送信電力又は最大利用可能送信電力、
現在のサブフレーム内のすべてのキャリアでの最大送信電力又は最大利用可能送信電力、
現在のサブフレーム内の現在のキャリアでの最大送信電力又は最大利用可能送信電力、若しくは
ＵＥの最大送信電力レベル、又は
第１の最大送信電力は、基地局によって設定される最大送信電力によって示される最大送信電力値、又はあらかじめ定められた最大送信電力値であり得る。
【００５３】
最大送信電力は、ＰＣＭＡＸ，ｃ、
【数００６０】
2019533364.tif 000004
、ＰＣＭＡＸ、ＰＭＡＸ、ＰＵＭＡＸ、ＰＥＭＡＸ、Ｐ−ＭＡＸ等として表されてよい。これは本発明において限定されない。
【００５４】
最大送信電力は、あらかじめ定められてもよく、又はシグナリングを使用することによって設定されてもよく、あるいはセル内で共通としてもよく、又はユーザ固有としてもよい。これは本発明において限定されない。
【００５５】
なお、本発明のこの実施形態において説明される送信電力の値は、対数値（単位はｄＢｍであり得る）、又は線形値（単位はミリワットｍＷ、ワットＷであり得る）を使用して表されることがあると留意されたい。すなわち、その値は、単一の周波数領域送信リソース（１ＰＲＢなど）に対する値でもよく、又は送信帯域幅全体に対する値でもよい。同様に、本発明の以降の実施形態において説明される電力は、電力の単位に基づいた対数値又は線形値に決定され得る。例えば、
【数００６２−１】
2019533364.tif 000005
は最大送信電力を表す線形値、ＰＣＭＡＸ，ｃは最大送信電力を表す対数値である。本発明では、電力を表す別のパラメータｘに対して、
【数００６２−２】
2019533364.tif 000006
はパラメータｘの線形値を表すのに使用され、ｘはパラメータｘの対数値を表す。
【００５６】
ＵＥが最大送信電力を取得するための方法は、…含むと理解されたい。これは本発明において限定されない。
【００５７】
ステップ６２０では、第１のパラメータの値は第１のリンクのキャリアのキャリアタイプを含み、キャリアタイプは第１のキャリアタイプでもよく、又は第２のキャリアタイプでもよい。
【００５８】
任意選択で、第１のタイプのキャリアは、以下の特性のうちの少なくとも１つに基づいて決定される。すなわち、第１のリンクのキャリアが第１のリンク及び第２のリンクを含むこと、第１のリンクのキャリアが電力制御パラメータを決定するために使用される参照信号を含むこと、第１のリンクのキャリアのタイプが指示情報に基づいて第１のタイプのキャリアであると決定されること、又は第１のリンクのキャリアの送信電力パラメータを決定するための指示情報が含まれることである。
【００５９】
任意選択で、第２のタイプのキャリアは、以下の特性のうちの少なくとも１つに基づいて決定される。すなわち、第１のリンクのキャリアが第１の送信のみを含むこと、第１のリンクのキャリアが電力制御パラメータを決定するために使用される参照信号を含まないこと、第１のリンクのキャリアの送信電力パラメータを決定するための指示情報が含まれないこと、又は第１のリンクのキャリアのタイプが指示情報に基づいて第２のタイプのキャリアであると決定されることである。
【００６０】
電力制御パラメータを決定するために使用される参照信号は、ＣＲＳ（Cell-Specific  Reference  Signal、セル固有参照信号）、ＣＳＩ−ＲＳ（channel  state  information  reference  signal、チャネル状態情報参照信号）、ＤＭＲＳ（Demodulation  reference  signal、復調参照信号）等のうちの任意の１つ又は複数であり得ることを理解されたい。これは本発明において限定されない。
【００６１】
さらに、第１のパラメータに含まれるデータチャネルの帯域幅はデータチャネルでのデータ送信の送信帯域幅であり、制御チャネルの帯域幅は制御チャネルでのデータ送信のための送信帯域幅であることを理解されたい。
【００６２】
データチャネルの送信電力及び／又は制御チャネルの送信電力が最大送信電力及び第１のパラメータに基づいて決定された後、データチャネル及び制御チャネルは、決定されたデータチャネルの送信電力及び／又は制御チャネルの送信電力に基づいて同じサブフレーム内でそれぞれ送信される。
【００６３】
したがって、本発明のこの実施形態では、データチャネル及び制御チャネルが同じサブフレーム内で送信されるとき、データチャネルの送信電力及び制御チャネルの送信電力は、最大送信電力、データチャネルの帯域幅、制御チャネルの帯域幅、又は第１のリンクのキャリアのキャリアタイプのうちの少なくとも１つに基づいて決定されることができ、制御情報及びデータの送信電力を適切に決定する。
【００６４】
任意選択で、本発明の一実施形態では、ＵＥが、最大送信電力及び第１のパラメータに基づいてデータチャネルの送信電力及び／又は制御チャネルの送信電力を決定することは、第１の電力と最大送信電力の間の比例関係に基づいて電力倍率を決定することであって、第１の電力は、データチャネルの第２の電力と制御チャネルの第３の電力との合計であり、第２の電力は、第１のパラメータに含まれるデータチャネルの帯域幅及び／又は制御チャネルの帯域幅に基づいて決定され、第３の電力は、第１のパラメータに含まれるデータチャネルの帯域幅及び／又は制御チャネルの帯域幅に基づいて決定される、決定することと、倍率に基づいて制御チャネルの送信電力及びデータチャネルの送信電力を決定することと、を含む。
【００６５】
任意選択で、本発明の一実施形態では、データチャネルの第２の電力値は、ＵＥとサービングセルの間のパスロスに基づいて決定された電力値である、若しくは
データチャネルの第２の電力値は、データチャネルでの最大電力値と、ＵＥとサービングセルの間のパスロスに基づいて決定された電力値とのうちの小さい方の値である、若しくは
制御チャネルの第２の電力は、制御チャネルの電力値と、データチャネル及び制御チャネルの帯域幅とに基づいて決定された電力値である、若しくは
制御チャネルの第２の電力は、ＵＥとサービングセルの間のパスロスに基づいて決定された制御チャネルの電力値である、又は
制御チャネルの第３の電力は、データチャネルの電力値と、データチャネル及び制御チャネルの帯域幅とに基づいて決定された電力値である、若しくは
制御チャネルの第３の電力値は、データチャネルでの最大電力値と、ＵＥとサービングセルの間のパスロスに基づいて決定されたデータチャネルの電力値とのうちの小さい方の値である。
【００６６】
任意選択で、制御チャネルはＰＳＣＣＨチャネルであり、データチャネルはＰＳＳＣＨチャネルであると想定される。第３の電力はＰＰＳＣＣＨ＿０と表され、第２の電力はＰＰＳＳＣＨ＿０と表される。
【００６７】
モード３では、データチャネルの送信電力ＰＰＳＳＣＨは、サービスチャネルでの最大電力値と、パスロスに基づいて決定される送信電力値とのうちの小さい方の値に基づいて決定され、以下の式を用いて表される。すなわち、
【数００７４】
2019533364.tif 000007
［ｄＢｍ］である。
【００６８】
モード３では、制御チャネルの送信電力ＰＰＳＣＣＨは、データチャネルの電力値と、チャネル及びサービスチャネルの帯域幅値とに基づいて決定され、以下の式を用いて表される。すなわち、
【数００７５−１】
2019533364.tif 000008
［ｄＢｍ］、又は
【数００７５−２】
2019533364.tif 000009
［ｄＢｍ］である。ここで、ａはあらかじめ定められた定数である。例えば、ａは、−３、０、又は３であり得る。これは、本明細書において限定されない。
【００６９】
モード４では、データチャネルの送信電力ＰＰＳＳＣＨは、データチャネルでの最大電力値と、パスロスに基づいて決定される送信電力値とのうちの小さい方の値に基づいて決定され、以下の式を用いて表される。すなわち、
【数００７６】
2019533364.tif 000010
［ｄＢｍ］である。
【００７０】
モード４では、制御チャネルの送信電力ＰＰＳＣＣＨは、データチャネルの電力値と、チャネル及びデータチャネルの帯域幅値とに基づいて決定され、以下の式を用いて表される。すなわち、
【数００７７−１】
2019533364.tif 000011
［ｄＢｍ］、又は
【数００７７−２】
2019533364.tif 000012
［ｄＢｍ］である。ここで、ｂはあらかじめ定められた定数である。例えば、ｂは、−３、０、又は３であり得る。これは、本明細書において限定されない。
【００７１】
本明細書において、計算された第３の電力ＰＰＳＣＣＨ及び第２の電力ＰＰＳＳＣＨは対数電力値であり得る。
【００７２】
上記の式では、ＭＰＳＣＣＨは、ＰＳＣＣＨチャネルの送信帯域幅を示し、ＭＰＳＳＣＨは、ＰＳＳＣＨチャネルの送信帯域幅を示し、
ＰＬは、ＵＥとサービング基地局の間のパスロスの値を示し、
αＰＳＣＣＨ，３及びαＰＳＳＣＨ，３は、モード３におけるＰＳＣＣＨチャネル及びＰＳＳＣＨチャネルのパスロス補償係数をそれぞれ示し、
αＰＳＣＣＨ，４及びαＰＳＳＣＨ，４は、モード４におけるＰＳＣＣＨチャネル及びＰＳＳＣＨチャネルのパスロス補償係数をそれぞれ示し、
Ｐｏ＿ＰＳＣＣＨ，３及びＰｏ＿ＰＳＳＣＨ，３は、サービング基地局によって設定される、又はモード３においてあらかじめ定められた２つの電力パラメータ値を示し、
Ｐｏ＿ＰＳＣＣＨ，４及びＰｏ＿ＰＳＳＣＨ，４は、サービング基地局によって設定される、又はモード４においてあらかじめ定められた２つの電力パラメータ値を示す。
【００７３】
ＰＬは、サービング基地局によって決定された後にシグナリングの形式でＵＥに通知されてもよく、又はＵＥによって決定されてもよい。パスロスの値を計算する方法については、従来技術を参照のこと。詳細は本明細書においては説明されない。
【００７４】
モード３では、αＰＳＣＣＨ，３、αＰＳＳＣＨ，３、Ｐｏ＿ＰＳＣＣＨ，３、及びＰｏ＿ＰＳＳＣＨ，３は、サービング基地局によってシグナリングの形式でＵＥに通知されてもよく、又はあらかじめ定められてもよい。例えば、Ｓ１０１の前に、サービング基地局によって送信される設定情報は、αＰＳＣＣＨ，３、αＰＳＳＣＨ，３、Ｐｏ＿ＰＳＣＣＨ，３、及びＰｏ＿ＰＳＳＣＨ，３の値を含む。モード４では、その方法はモード３のものと同様であり、詳細は本明細書では繰り返されない。
【００７５】
本明細書において、送信モード３及び送信モード４は、第１のリンクにおける異なる送信モードである。例えば、送信モードは、基地局によるスケジューリングに基づいた第１のリンクでの送信、又はＵＥによるリソース選択に基づいた第１のリンクでの送信に対応し得る。
【００７６】
任意選択で、本発明の一実施形態では、第１の電力と最大送信電力の間の比例関係に基づいて電力倍率を決定することは、第１の電力に対する最大送信電力の比率を決定することと、倍率の値としてその比率と１とのうちの小さい方の値を決定することと、を含む。
【００７７】
任意選択で、第１の電力に対する最大送信電力の比率が第１の送信電力に対する最大送信電力の比率として表される場合、その比率は、
【数００８４】
2019533364.tif 000013
として表され得る。
【００７８】
任意選択で、倍率ｗは以下の式に従って決定される。すなわち、
【数００８５】
2019533364.tif 000014
である。
【００７９】
任意選択で、本発明の一実施形態では、電力倍率に基づいて制御チャネルの送信電力及び／又はデータチャネルの送信電力を決定することは、データチャネルの送信電力として、電力倍率と第２の電力との積を使用することと、制御チャネルの送信電力として、電力倍率と第３の電力との積を使用することと、を含む。
【００８０】
任意選択で、データチャネルの送信電力は、倍率と第２の電力の線形値とを乗算することによって得られ、制御チャネルの送信電力は、倍率と第３の電力の線形値とを乗算することによって得られる。例えば、データチャネルの送信電力及び制御チャネルの送信電力は、以下の式に従って決定される。すなわち、
【数００８７−１】
2019533364.tif 000015
、及び
【数００８７−２】
2019533364.tif 000016
である。
【００８１】
上記の式では、ｗは倍率を示し、
【数００８８−１】
2019533364.tif 000017
は、データチャネルの送信電力の線形値を示し、
【数００８８−２】
2019533364.tif 000018
は、制御チャネルの送信電力の線形値を示し、
【数００８８−３】
2019533364.tif 000019
は、データチャネルの第２の電力の線形値を示し、
【数００８８−４】
2019533364.tif 000020
は、制御チャネルの第３の電力の線形値を示す。
【００８２】
任意選択で、本発明の一実施形態では、ＵＥによって、最大送信電力及び第１のパラメータに基づいて、データチャネルの送信電力及び制御チャネルの送信電力を決定する前に、その方法はさらに、第１のリンクのキャリアが第１のタイプのキャリア又は第２のタイプのキャリアであることを決定することを含む。
【００８３】
第１のリンクのキャリアが第１のタイプのキャリアであるとき、ＵＥは、最大送信電力及び第１のパラメータに基づいて、データチャネルの送信電力及び制御チャネルの送信電力を決定する。
【００８４】
言い換えると、第１のリンクのキャリアが第１のタイプのキャリアであると決定されるとき、前述の実施形態において説明された方法に従って、ＵＥは、最大送信電力及び第１のパラメータに基づいてデータチャネルの送信電力及び制御チャネルの送信電力を決定してよい。
【００８５】
任意選択で、本発明の一実施形態では、第２のタイプのキャリア、第１のパラメータが第１のリンクのキャリアのキャリアタイプを含むこと、及びＵＥによって、最大送信電力及び第１のパラメータに基づいて、データチャネルの送信電力及び制御チャネルの送信電力を決定することは、第１のリンクのキャリアが第２のタイプのキャリアであるとき、データチャネルの最大送信電力をデータチャネルの送信電力として決定すること、並びにデータチャネルの送信電力、データチャネルの帯域幅、及び制御チャネルの帯域幅に基づいて、制御チャネルの送信電力を決定すること、又は、制御チャネルの最大送信電力を制御チャネルの最大送信電力として決定することを含む。
【００８６】
任意選択で、モード３及びモード４では、データチャネルの送信電力ＰＰＳＳＣＨは、データチャネルでの最大送信電力に基づいて決定され、以下の式を用いて表される。すなわち、
【数００９３】
2019533364.tif 000021
［ｄＢｍ］である。
【００８７】
モード３及びモード４では、制御チャネルの送信電力ＰＰＳＣＣＨは、データチャネルの電力値と、チャネル及びデータチャネルの帯域幅値とに基づいて決定され、例えば、以下の式を用いて表される。すなわち、
【数００９４】
2019533364.tif 000022
［ｄＢｍ］である。ここで、ａは定数である。例えば、ａは０、３、６、又は−３であり得る。これは本明細書において限定されない。
【００８８】
代替的には、任意選択で、モード３及びモード４では、制御チャネルの送信電力ＰＰＳＣＣＨは、制御チャネルでの最大送信電力に基づいて決定され、例えば、以下の式を用いて表される。すなわち、
【数００９５】
2019533364.tif 000023
［ｄＢｍ］である。
【００８９】
本明細書では、ＰＣＭＡＸ，ＰＳＣＣＨ及びＰＣＭＡＸ，ＰＳＳＣＨは、ＰＳＣＣＨ及びＰＳＳＣＨチャネルでの最大送信電力の値をそれぞれ表す。それらの値はあらかじめ定められてもよく、又はシグナリングを使用して設定されてもよく、及びセル内で共通でもよく、又はユーザ固有でもよい。
【００９０】
任意選択で、本発明の一実施形態では、第１のパラメータが制御チャネルの送信帯域幅及びデータチャネルの送信帯域幅を含むこと、ＵＥによって、最大送信電力及び第１のパラメータに基づいて、データチャネルの送信電力及び制御チャネルの送信電力を決定することは、
第１の電力が最大送信電力よりも大きいかどうかを決定することであって、第１の電力がデータチャネルの第２の電力と制御チャネルの第３の電力との合計である、決定すること、及び第１の電力が最大送信電力よりも大きいとき、最大送信電力、制御チャネルの送信帯域幅、及びデータチャネルの送信帯域幅に基づいて、データチャネルの送信電力を決定すること、並びに最大送信電力、制御チャネルの送信帯域幅、及びデータチャネルの送信帯域幅に基づいて、制御チャネルの送信電力を決定すること、又はデータチャネルの送信電力、制御チャネルの送信帯域幅、及びデータチャネルの送信帯域幅に基づいて、制御チャネルの送信電力を決定することを含む。
【００９１】
任意選択で、決定基準は、データチャネルの第２の電力及び制御チャネルの第３の電力の線形値の合計が最大送信電力値よりも小さいかどうかを決定することである。例えば、
【数００９８】
2019533364.tif 000024
である。
【００９２】
前述の式が成り立つ場合、それは送信電力が最大電力値を超えていないことを示し、そうでなければ、それは送信電力が最大送信電力を超えていることを示す。
【００９３】
任意選択で、送信電力が最大電力値を超えない場合、データチャネル及び制御チャネルの送信電力は以下の方法で決定される。
【００９４】
モード３では、データチャネルの送信電力ＰＰＳＳＣＨは、サービスチャネルでの最大電力値と、パスロスに基づいて決定される送信電力値とのうちの小さい方の値に基づいて決定され、以下の式を用いて表される。すなわち、
【数０１０１】
2019533364.tif 000025
［ｄＢｍ］である。
【００９５】
モード３では、制御チャネルの送信電力ＰＰＳＣＣＨは、データチャネルの電力値と、チャネル及びサービスチャネルの帯域幅値とに基づいて決定され、以下の式を用いて表される。すなわち、
【数０１０２−１】
2019533364.tif 000026
［ｄＢｍ］、又は
【数０１０２−２】
2019533364.tif 000027
［ｄＢｍ］である。ここで、ａはあらかじめ定められた定数である。例えば、ａは、−３、０、又は３であり得る。これは、本明細書において限定されない。
【００９６】
モード４では、データチャネルの送信電力ＰＰＳＳＣＨは、データチャネルでの最大電力値と、パスロスに基づいて決定される送信電力値とのうちの小さい方の値に基づいて決定され、以下の式を用いて表される。すなわち、
【数０１０３】
2019533364.tif 000028
［ｄＢｍ］である。
【００９７】
モード４では、制御チャネルの送信電力ＰＰＳＣＣＨは、データチャネルの電力値と、チャネル及びデータチャネルの帯域幅値とに基づいて決定され、以下の式を用いて表される。すなわち、
【数０１０４−１】
2019533364.tif 000029
［ｄＢｍ］、又は
【数０１０４−２】
2019533364.tif 000030
［ｄＢｍ］である。ここで、ｂはあらかじめ定められた定数である。例えば、ｂは、−３、０、又は３であり得る。これは、本明細書において限定されない。
【００９８】
本明細書では、計算された制御チャネルの送信電力ＰＰＳＣＣＨ及びデータチャネルの送信電力ＰＰＳＳＣＨは対数電力値であり得る。
【００９９】
任意選択で、送信電力が最大電力値を超える場合、第１の電力が最大送信電力より大きいとき、最大送信電力、制御チャネルの送信帯域幅、及びデータチャネルの送信帯域幅に基づいて、データチャネルの送信電力を決定することと、最大送信電力、制御チャネルの送信帯域幅、及びデータチャネルの送信帯域幅に基づいて、制御チャネルの送信電力を決定することとは、さらに、
最大送信電力と第１の追加項目との合計に基づいて、制御チャネルの送信電力及びデータチャネルの送信電力を決定することであって、
第１の追加項目は、制御チャネルの帯域幅及びデータチャネルの帯域幅に基づいて決定される、決定することを含む。
【０１００】
具体的には、データチャネルの場合、第１の追加項目は、以下の形式のうちのいずれか１つで表され得る。すなわち、
【数０１０７−１】
2019533364.tif 000031
、
【数０１０７−２】
2019533364.tif 000032
、
【数０１０７−３】
2019533364.tif 000033
、
【数０１０７−４】
2019533364.tif 000034
、
【数０１０７−５】
2019533364.tif 000035
、及び
【数０１０７−６】
2019533364.tif 000036
である。
【０１０１】
第１の追加項目の表現形式はそれらに限定されないと理解されたい。
【０１０２】
一般に、最大送信電力と第１の追加項目との合計に基づいて決定されるデータチャネルの送信電力は、以下の式を用いて表され得る。すなわち、
【数０１０９−１】
2019533364.tif 000037
、
【数０１０９−２】
2019533364.tif 000038
、
【数０１０９−３】
2019533364.tif 000039
、又は
【数０１０９−４】
2019533364.tif 000040
である。ここで、ａ及びｂは負ではない整数である。
【０１０３】
任意選択で、最大送信電力と第１の追加項目との合計に基づいて決定される制御チャネルの送信電力は、以下の式のうちの１つを用いることによって表され得る。すなわち、
【数０１１０−１】
2019533364.tif 000041
、
【数０１１０−２】
2019533364.tif 000042
、
【数０１１０−３】
2019533364.tif 000043
、
【数０１１０−４】
2019533364.tif 000044
、
【数０１１０−５】
2019533364.tif 000045
、
【数０１１０−６】
2019533364.tif 000046
、
【数０１１０−７】
2019533364.tif 000047
、
【数０１１０−８】
2019533364.tif 000048
、
【数０１１０−９】
2019533364.tif 000049
、及び
【数０１１０−１０】
2019533364.tif 000050
である。ここで、ａとｂは正の整数である。
【０１０４】
任意選択で、本発明の一実施形態では、ＵＥによって、最大送信電力及び第１のパラメータに基づいて、データチャネルの送信電力を決定することは、第１の電力が最大送信電力よりも大きいかどうかを決定することであって、第１の電力はデータチャネルの第２の電力と制御チャネルの第３の電力との合計である、決定することと、第１の電力が最大電力よりも大きいとき、倍率及び第２の電力に基づいてデータチャネルの送信電力を決定することと、倍率及び第３の電力に基づいて制御チャネルの送信電力を決定することであって、倍率は、第１の電力に対する最大送信電力の比率以下である、決定することと、を含む。
【０１０５】
任意選択で、本発明の一実施形態では、第１の送信電力が最大送信電力よりも大きいとき、倍率及び第２の電力に基づいてデータチャネルの送信電力を決定することは、データチャネルの送信電力として、倍率との第２の電力との積を決定することを含み、倍率及び第３の電力に基づいて制御チャネルの送信電力を決定することは、制御チャネルの送信電力として、倍率と第３の電力との積を決定することを含む。
【０１０６】
同様に、判断基準は、データチャネルの第２の電力及び制御チャネルの第３の電力の線形値の合計が最大送信電力値未満であるかどうかを決定することである。例えば、
【数０１１３】
2019533364.tif 000051
である。
【０１０７】
上記の式が成り立つ場合、それはデータチャネルの第２の電力及び制御チャネルの第３の電力の線形値の合計が最大電力値を超えないことを示す。そうでなければ、それは送信電力が最大送信電力を超えることを示す。
【０１０８】
任意選択で、送信電力が最大電力値を超えない場合、データチャネル及び制御チャネルの送信電力は以下の方法で決定される。
【０１０９】
モード３では、データチャネルの送信電力ＰＰＳＳＣＨは、サービスチャネルでの最大電力値と、パスロスに基づいて決定される送信電力値とのうちの小さい方の値に基づいて決定され、以下の式を用いて表される。すなわち、
【数０１１６】
2019533364.tif 000052
［ｄＢｍ］である。
【０１１０】
モード３では、制御チャネルの送信電力ＰＰＳＣＣＨは、データチャネルの電力値と、チャネル及びサービスチャネルの帯域幅値とに基づいて決定され、以下の式を用いて表される。すなわち、
【数０１１７−１】
2019533364.tif 000053
［ｄＢｍ］、又は
【数０１１７−２】
2019533364.tif 000054
［ｄＢｍ］である。ここで、ａはあらかじめ定められた定数である。例えば、ａは、−３、０、又は３であり得る。これは、本明細書において限定されない。
【０１１１】
モード４では、データチャネルの送信電力ＰＰＳＳＣＨは、データチャネルでの最大電力値と、パスロスに基づいて決定される送信電力値とのうちの小さい方の値に基づいて決定され、以下の式を用いて表される。すなわち、
【数０１１８】
2019533364.tif 000055
［ｄＢｍ］である。
【０１１２】
モード４では、制御チャネルの送信電力ＰＰＳＣＣＨは、データチャネルの電力値と、チャネル及びデータチャネルの帯域幅値とに基づいて決定され、以下の式を用いて表される。すなわち、
【数０１１９−１】
2019533364.tif 000056
［ｄＢｍ］、又は
【数０１１９−２】
2019533364.tif 000057
［ｄＢｍ］である。ここで、ｂはあらかじめ定められた定数である。例えば、ｂは、−３、０、又は３であり得る。これは、本明細書において限定されない。
【０１１３】
本明細書では、計算された制御チャネルの送信電力ＰＰＳＣＣＨとデータチャネルの送信電力ＰＰＳＳＣＨは、対数電力値であり得る。
【０１１４】
任意選択で、制御チャネルの第３の電力及びデータチャネルの第２の電力の線形値の合計が最大送信電力を超える場合、ｗは以下の方法で決定される。すなわち、
【数０１２１】
2019533364.tif 000058
である。ここで、０＜ｗ≦１である。
【０１１５】
任意選択で、データチャネルの送信電力及び制御チャネルの送信電力は以下の式に従って決定される。
【数０１２２−１】
2019533364.tif 000059
、及び
【数０１２２−２】
2019533364.tif 000060
である。
【０１１６】
上記の式では、ｗ（ｉ）は倍率を示し、
【数０１２３−１】
2019533364.tif 000061
はデータチャネルの送信電力の線形値を示し、
【数０１２３−２】
2019533364.tif 000062
は制御チャネルの送信電力の線形値を示し、
【数０１２３−３】
2019533364.tif 000063
はデータチャネルの第２の電力の線形値を示し、
【数０１２３−４】
2019533364.tif 000064
は制御チャネルの第３の電力の線形値を示す。
【０１１７】
任意選択で、本発明の一実施形態では、制御チャネル及びデータチャネルが同じ時間領域リソースで同時に送信されない、例えば、異なるサブフレームで送信されるとき、送信電力値は制御チャネルに及びデータチャネルに対して、以下の方法で決定される。
【０１１８】
方法１：制御チャネル及びデータチャネルの送信電力値は、対応するチャネルでの最大送信電力値にそれぞれ設定される。例えば、
【数０１２５−１】
2019533364.tif 000065
、及び
【数０１２５−２】
2019533364.tif 000066
である。
【０１１９】
方法２：データチャネルの送信電力値は対応するチャネルでの最大送信電力値に設定され、制御チャネルの送信電力値はデータチャネルの電力値と、制御チャネル及びデータチャネルの帯域幅とに基づいて設定される。例えば、
【数０１２６−１】
2019533364.tif 000067
、及び
【数０１２６−２】
2019533364.tif 000068
である。
【０１２０】
上記の式では、△は定数であり、方法１及び方法２は、第１のタイプのキャリア及び／又は第２のタイプのキャリアのために使用可能であり、好ましくは、第１のタイプのキャリアに適用可能である。
【０１２１】
以上、図１から図６を参照して本発明の実施形態におけるネットワークスライス管理方法及びネットワーク管理アーキテクチャについて詳細に説明した。以下、図７及び図８を参照して本発明の実施形態における端末デバイスについて詳細に説明する。
【０１２２】
図７は、本発明の一実施形態による端末デバイスの構造のブロック図である。端末デバイス７００は、図１から図６の方法において端末デバイスによって実行されるステップを実行することができることを理解されたい。繰り返しを避けるために、詳細は本明細書において説明しない。端末デバイス７００は、
最大送信電力を取得するように構成された取得ユニット７１０と、
最大送信電力及び第１のパラメータに基づいて、データチャネルの送信電力及び／又は制御チャネルの送信電力を決定するように構成された決定ユニット７２０であって、
第１のパラメータは、データチャネルの帯域幅、制御チャネルの帯域幅、又は第１のリンクのキャリアのキャリアタイプのうちの少なくとも１つを含む、決定ユニット７２０と、
制御チャネルとデータチャネルとを同じサブフレーム内で送信するように構成された送信ユニット７３０と、を含む。
【０１２３】
したがって、本発明のこの実施形態では、データチャネル及び制御チャネルが同じサブフレーム内で送信されるとき、データチャネルの送信電力及び制御チャネルの送信電力は、最大送信電力、データチャネルの帯域幅、制御チャネルの帯域幅、又は第１のリンクのキャリアのキャリアタイプのうちの少なくとも１つに基づいて決定されることができ、制御情報及びデータの送信電力を適切に決定する。
【０１２４】
図８は、本発明の一実施形態による装置の概略構造図である。図８は、本発明のこの実施形態において提供される装置８００を示す。装置８００は、図１から図６の方法におけるユーザ機器によって実行されるステップを実行することができると理解されたい。繰り返しを避けるために、詳細は本明細書において説明されない。装置８００は、
プログラムを記憶するように構成されたメモリ８１０と、
別の装置と通信するように構成されたトランシーバ８２０と、
メモリ８１０内のプログラムを実行するように構成されたプロセッサ８３０と、を含み、プログラムが実行されると、プロセッサ８３０はさらに、トランシーバ８２０を使用することによって信号を受信及び／又は送信して、最大送信電力を得るように構成され、プロセッサ８３０はさらに、最大送信電力及び第１のパラメータに基づいて、データチャネルの送信電力及び／又は制御チャネルの送信電力を決定するように構成され、第１のパラメータは、データチャネルの帯域幅、制御チャネルの帯域幅、又は第１のリンクのキャリアのキャリアタイプのうちの少なくとも１つを含み、トランシーバ８２０はさらに、制御チャネル及びデータチャネルを同じサブフレーム内で送信するように構成される。
【０１２５】
装置８００は、具体的には前述の実施形態におけるユーザ機器としてよく、前述の方法の実施形態におけるユーザ機器に対応するステップ及び／又は手順を実行するように構成されてよいと理解されたい。
【０１２６】
したがって、本発明のこの実施形態では、データチャネル及び制御チャネルが同じサブフレーム内で送信されるとき、データチャネルの送信電力及び制御チャネルの送信電力は、最大送信電力、データチャネルの帯域幅、制御チャネルの帯域幅、又は第１のリンクのキャリアのキャリアタイプのうちの少なくとも１つに基づいて決定されることができ、制御情報及びデータの送信電力を適切に決定する。
【０１２７】
前述のプロセスのシーケンス番号は、本発明の様々な実施形態における実行シーケンスを意味しないと理解されたい。プロセスの実行シーケンスは、プロセスの機能及び内部ロジックに従って決定されるべきであり、本発明の実施形態の実施プロセスに対するいかなる限定としても解釈されるべきではない。
【０１２８】
当業者であれば、この明細書に開示された実施形態を参照して説明された例におけるユニット及びアルゴリズムステップは、電子ハードウェア又はコンピュータソフトウェアと電子ハードウェアとの組み合わせによって実施されることができると知っている可能性がある。機能がハードウェアで実行されるか、又はソフトウェアで実行されるかは、特定の用途及び技術的解決策の設計制約条件に依存する。当業者であれば、各特定の用途について説明された機能を実施するために異なる方法を使用してよいが、その実施が本発明の範囲を超えると考えられるべきではない。
【０１２９】
当業者であれば、便利で簡潔な説明の目的のために、前述のシステム、装置、及びユニットの詳細な作業プロセスのために、参照が前述の方法の実施形態における対応するプロセスに対してなされ、詳細は本明細書において繰り返されないことを明確に理解できよう。
【０１３０】
この出願において提供されるいくつかの実施形態において、開示されたシステム、装置、及び方法は他の方法で実施されてもよいと理解されたい。例えば、説明された装置の実施形態は単なる例である。例えば、ユニット分割は単なる論理的機能分割であり、実際の実施においては他の分割でもよい。例えば、複数のユニット又は構成要素は別のシステムに組み合わせられたり、統合されてよく、あるいはいくつかの特徴は無視されてよく、又は実行されなくてもよい。追加的に、表示された、又は論じられた相互結合若しくは直接結合又は通信接続は、いくつかのインタフェースを使用することによって実施されてよい。装置又はユニット間の間接結合又は通信接続は、電子的、機械的、又は他の形式で実施されてよい。
【０１３１】
別々の部品として説明されたユニットは物理的に分離されていてもいなくてもよく、ユニットとして表示された部分は、物理的な単位であってもなくてもよく、一箇所にあってもよく、複数のネットワークユニットに分散されていてもよい。実施形態の解決策の目的を達成するために、ユニットの一部又はすべてが実際の要件に基づいて選択され得る。
【０１３２】
追加的に、本発明の実施形態における機能ユニットは、１つの処理ユニットに統合されてもよく、ユニットの各々は物理的に単独で存在してもよく、２つ以上のユニットが１つのユニットに統合されてもよい。
【０１３３】
機能がソフトウェア機能ユニットの形式で実施され、独立した製品として販売又は使用されるとき、機能はコンピュータ可読記憶媒体に記憶され得る。そのような理解に基づいて、本発明の技術的解決策は本質的には、又は先行技術に寄与する部分、あるいはいくつかの技術的解決策は、ソフトウェア製品の形式で実施され得る。コンピュータソフトウェア製品は記憶媒体に記憶され、コンピュータデバイス（パーソナルコンピュータ、サーバ、ネットワークデバイス等であり得る）に本発明の実施形態において説明された方法のステップの全部又は一部を実行するように指示するためのいくつかの命令を含む。前述の記憶媒体は、ＵＳＢフラッシュドライブ、リムーバブルハードディスク、読み取り専用メモリ（ＲＯＭ、Read-Only  Memory）、ランダムアクセスメモリ（ＲＡＭ、Random  Access  Memory）、磁気ディスク、光ディスク等のプログラムコードを記憶することができる任意の媒体を含む。
【０１３４】
前述の説明は、単に本発明の特定の実施に過ぎず、本発明の保護範囲を限定することは意図されていない。本発明において開示された技術的範囲内で当業者によって容易に考え出される任意の変形又は置換は、本発明の保護範囲内に入るものとする。したがって、本発明の保護範囲は特許請求の範囲の保護範囲に従うものとする。
【図１】
2019533364.tif 000069
【図２】
2019533364.tif 000070
【図３】
2019533364.tif 000071
【図４】
2019533364.tif 000072
【図５（ａ）】
2019533364.tif 000073
【図５（ｂ）】
2019533364.tif 000074
【図６】
2019533364.tif 000075
【図７】
2019533364.tif 000076
【図８】
2019533364.tif 000077
【手続補正書】
【提出日】平成31年4月24日(2019.4.24)
【手続補正１】
【補正対象書類名】明細書
【補正対象項目名】００４４
【補正方法】変更
【補正の内容】
【００４４】
中継ＵＥは、基地局と直接通信することができ、別のＵＥからのデータを基地局に転送することができるＵＥを示す。例えば、中継ＵＥは、図２又は図３におけるＵＥ２０でもよく、又は図４におけるＲＳＵでもよい。
【手続補正２】
【補正対象書類名】明細書
【補正対象項目名】００４５
【補正方法】変更
【補正の内容】
【００４５】
遠隔ＵＥは、基地局と直接通信することはできない可能性があるが、中継ＵＥを使用することによって基地局と通信することができるＵＥを示す。例えば、遠隔ＵＥは、図２又は図３におけるＵＥ３０でもよく、あるいは図４におけるＵＥ１、ＵＥ２、又はＵＥ３でもよい。
【手続補正３】
【補正対象書類名】明細書
【補正対象項目名】００５６
【補正方法】変更
【補正の内容】
【００５６】
ＵＥが最大送信電力を取得するための方法は、最大送信電力の線形値又は対数値を取得することを含むと理解されたい。これは本発明において限定されない。
【手続補正４】
【補正対象書類名】明細書
【補正対象項目名】００５７
【補正方法】変更
【補正の内容】
【００５７】
ステップ６２０では、第１のパラメータは第１のリンクのキャリアのキャリアタイプを含み、キャリアタイプは第１のキャリアタイプでもよく、又は第２のキャリアタイプでもよい。
【手続補正５】
【補正対象書類名】明細書
【補正対象項目名】００５９
【補正方法】変更
【補正の内容】
【００５９】
任意選択で、第２のタイプのキャリアは、以下の特性のうちの少なくとも１つに基づいて決定される。すなわち、第１のリンクのキャリアが第１のリンクのみを含むこと、第１のリンクのキャリアが電力制御パラメータを決定するために使用される参照信号を含まないこと、第１のリンクのキャリアの送信電力パラメータを決定するための指示情報が含まれないこと、又は第１のリンクのキャリアのタイプが指示情報に基づいて第２のタイプのキャリアであると決定されることである。
【手続補正６】
【補正対象書類名】明細書
【補正対象項目名】００６８
【補正方法】変更
【補正の内容】
【００６８】
モード３では、制御チャネルの送信電力ＰＰＳＣＣＨは、データチャネルの電力値と、制御チャネル及びサービスチャネルの帯域幅値とに基づいて決定され、以下の式を用いて表される。すなわち、
【数００７５−１】
2019533364.tif 000078
［ｄＢｍ］、又は
【数００７５−２】
2019533364.tif 000079
［ｄＢｍ］である。ここで、ａはあらかじめ定められた定数である。例えば、ａは、−３、０、又は３であり得る。これは、本明細書において限定されない。
【手続補正７】
【補正対象書類名】明細書
【補正対象項目名】００７０
【補正方法】変更
【補正の内容】
【００７０】
モード４では、制御チャネルの送信電力ＰＰＳＣＣＨは、データチャネルの電力値と、制御チャネル及びデータチャネルの帯域幅値とに基づいて決定され、以下の式を用いて表される。すなわち、
【数００７７−１】
2019533364.tif 000080
［ｄＢｍ］、又は
【数００７７−２】
2019533364.tif 000081
［ｄＢｍ］である。ここで、ｂはあらかじめ定められた定数である。例えば、ｂは、−３、０、又は３であり得る。これは、本明細書において限定されない。
【手続補正８】
【補正対象書類名】明細書
【補正対象項目名】００７４
【補正方法】変更
【補正の内容】
【００７４】
モード３では、αＰＳＣＣＨ，３、αＰＳＳＣＨ，３、Ｐｏ＿ＰＳＣＣＨ，３、及びＰｏ＿ＰＳＳＣＨ，３は、サービング基地局によってシグナリングの形式でＵＥに通知されてもよく、又はあらかじめ定められてもよい。例えば、Ｓ６１０の前に、サービング基地局によって送信される設定情報は、αＰＳＣＣＨ，３、αＰＳＳＣＨ，３、Ｐｏ＿ＰＳＣＣＨ，３、及びＰｏ＿ＰＳＳＣＨ，３の値を含む。モード４では、その方法はモード３のものと同様であり、詳細は本明細書では繰り返されない。
【手続補正９】
【補正対象書類名】明細書
【補正対象項目名】００８７
【補正方法】変更
【補正の内容】
【００８７】
モード３及びモード４では、制御チャネルの送信電力ＰＰＳＣＣＨは、データチャネルの電力値と、制御チャネル及びデータチャネルの帯域幅値とに基づいて決定され、例えば、以下の式を用いて表される。すなわち、
【数００９４】
2019533364.tif 000082
［ｄＢｍ］である。ここで、ａは定数である。例えば、ａは０、３、６、又は−３であり得る。これは本明細書において限定されない。
【手続補正１０】
【補正対象書類名】明細書
【補正対象項目名】００９５
【補正方法】変更
【補正の内容】
【００９５】
モード３では、制御チャネルの送信電力ＰＰＳＣＣＨは、データチャネルの電力値と、制御チャネル及びサービスチャネルの帯域幅値とに基づいて決定され、以下の式を用いて表される。すなわち、
【数０１０２−１】
2019533364.tif 000083
［ｄＢｍ］、又は
【数０１０２−２】
2019533364.tif 000084
［ｄＢｍ］である。ここで、ａはあらかじめ定められた定数である。例えば、ａは、−３、０、又は３であり得る。これは、本明細書において限定されない。
【手続補正１１】
【補正対象書類名】明細書
【補正対象項目名】００９７
【補正方法】変更
【補正の内容】
【００９７】
モード４では、制御チャネルの送信電力ＰＰＳＣＣＨは、データチャネルの電力値と、制御チャネル及びデータチャネルの帯域幅値とに基づいて決定され、以下の式を用いて表される。すなわち、
【数０１０４−１】
2019533364.tif 000085
［ｄＢｍ］、又は
【数０１０４−２】
2019533364.tif 000086
［ｄＢｍ］である。ここで、ｂはあらかじめ定められた定数である。例えば、ｂは、−３、０、又は３であり得る。これは、本明細書において限定されない。
【手続補正１２】
【補正対象書類名】明細書
【補正対象項目名】０１０４
【補正方法】変更
【補正の内容】
【０１０４】
任意選択で、本発明の一実施形態では、ＵＥによって、最大送信電力及び第１のパラメータに基づいて、データチャネルの送信電力及び／又は制御チャネルの送信電力を決定することは、第１の電力が最大送信電力よりも大きいかどうかを決定することであって、第１の電力はデータチャネルの第２の電力と制御チャネルの第３の電力との合計である、決定することと、第１の電力が最大送信電力よりも大きいとき、倍率及び第２の電力に基づいてデータチャネルの送信電力を決定することと、倍率及び第３の電力に基づいて制御チャネルの送信電力を決定することであって、倍率は、第１の電力に対する最大送信電力の比率以下である、決定することと、を含む。
【手続補正１３】
【補正対象書類名】明細書
【補正対象項目名】０１１０
【補正方法】変更
【補正の内容】
【０１１０】
モード３では、制御チャネルの送信電力ＰＰＳＣＣＨは、データチャネルの電力値と、制御チャネル及びサービスチャネルの帯域幅値とに基づいて決定され、以下の式を用いて表される。すなわち、
【数０１１７−１】
2019533364.tif 000087
［ｄＢｍ］、又は
【数０１１７−２】
2019533364.tif 000088
［ｄＢｍ］である。ここで、ａはあらかじめ定められた定数である。例えば、ａは、−３、０、又は３であり得る。これは、本明細書において限定されない。
【手続補正１４】
【補正対象書類名】明細書
【補正対象項目名】０１１２
【補正方法】変更
【補正の内容】
【０１１２】
モード４では、制御チャネルの送信電力ＰＰＳＣＣＨは、データチャネルの電力値と、制御チャネル及びデータチャネルの帯域幅値とに基づいて決定され、以下の式を用いて表される。すなわち、
【数０１１９−１】
2019533364.tif 000089
［ｄＢｍ］、又は
【数０１１９−２】
2019533364.tif 000090
［ｄＢｍ］である。ここで、ｂはあらかじめ定められた定数である。例えば、ｂは、−３、０、又は３であり得る。これは、本明細書において限定されない。
【手続補正１５】
【補正対象書類名】特許請求の範囲
【補正対象項目名】全文
【補正方法】変更
【補正の内容】
【特許請求の範囲】
【請求項１】
データ送信方法であって、
装置によって、最大送信電力を取得することと、
前記装置によって、前記最大送信電力及び第１のパラメータに基づいて、データチャネルの送信電力及び／又は制御チャネルの送信電力を決定することであって、該第１のパラメータは、該データチャネルの帯域幅、該制御チャネルの帯域幅、又は第１のリンクのキャリアのキャリアタイプのうちの少なくとも１つを含む、決定することと、
前記装置によって、前記制御チャネル及び前記データチャネルを同じサブフレーム内で送信することと、を含む方法。
【請求項２】
前記装置によって、前記最大送信電力及び第１のパラメータに基づいて、データチャネルの送信電力及び／又は制御チャネルの送信電力を決定することは、
第１の電力と前記最大送信電力の間の比例関係に基づいて電力倍率を決定することであって、該第１の電力は前記データチャネルの第２の電力と前記制御チャネルの第３の電力との合計であり、該第２の電力は前記第１のパラメータに含まれる前記データチャネルの帯域幅及び／又は前記制御チャネルの帯域幅に基づいて決定され、該第３の電力は、前記第１のパラメータに含まれる前記データチャネルの帯域幅及び／又は前記制御チャネルの帯域幅に基づいて決定される、決定することと、
前記電力倍率に基づいて前記制御チャネルの送信電力及び／又は前記データチャネルの送信電力を決定することと、を含む、請求項１に記載の方法。
【請求項３】
第１の電力と前記最大送信電力の間の比例関係に基づいて電力倍率を決定することは、
前記第１の電力に対する前記最大送信電力の比率を決定することと、
前記電力倍率の値として前記比率と１のうちの小さい方の値を決定することと、を含む、請求項２に記載の方法。
【請求項４】
前記電力倍率に基づいて前記制御チャネルの送信電力及び／又は前記データチャネルの送信電力を決定することは、
前記データチャネルの送信電力として、前記電力倍率と前記第２の電力との積を使用すること、及び／又は
前記制御チャネルの送信電力として、前記電力倍率と前記第３の電力との積を使用すること、を含む、請求項２又は３に記載の方法。
【請求項５】
前記第１のパラメータは、前記制御チャネルの送信帯域幅及び前記データチャネルの送信帯域幅を含み、前記装置によって、前記最大送信電力及び第１のパラメータに基づいてデータチャネルの送信電力及び／又は制御チャネルの送信電力を決定することは、
第１の電力が前記最大送信電力よりも大きいかどうかを決定することであって、前記第１の電力が前記データチャネルの第２の電力と前記制御チャネルの第３の電力との合計である、決定すること、及び
前記第１の電力が前記最大送信電力よりも大きいとき、前記最大送信電力、前記制御チャネルの送信帯域幅、及び前記データチャネルの送信帯域幅に基づいて前記データチャネルの送信電力を決定すること、及び／又は
前記最大送信電力、前記制御チャネルの送信帯域幅、及び前記データチャネルの送信帯域幅に基づいて、前記制御チャネルの送信電力を決定すること、又は
前記データチャネルの送信電力、前記制御チャネルの送信帯域幅、及び前記データチャネルの送信帯域幅に基づいて、前記制御チャネルの送信電力を決定すること、を含む、請求項１に記載の方法。
【請求項６】
前記装置によって、前記最大送信電力及び第１のパラメータに基づいて、データチャネルの送信電力及び／又は制御チャネルの送信電力を決定することは、
前記最大送信電力と第１の追加項目との合計に基づいて、前記制御チャネルの送信電力及び／又は前記データチャネルの送信電力を決定することを含み、
前記第１の追加項目は、前記制御チャネルの帯域幅及び前記データチャネルの帯域幅に基づいて決定される、請求項１又は５に記載の方法。
【請求項７】
前記装置によって、前記最大送信電力及び第１のパラメータに基づいてデータチャネルの送信電力及び／又は制御チャネルの送信電力を決定することは、
第１の電力が前記最大送信電力よりも大きいかどうかを決定することであって、該第１の電力は前記データチャネルの第２の電力と前記制御チャネルの第３の電力との合計である、決定することと、
前記第１の電力が前記最大送信電力よりも大きいとき、電力倍率及び前記第２の電力に基づいて前記データチャネルの送信電力を決定し、該電力倍率及び前記第３の電力に基づいて前記制御チャネルの送信電力を決定することであって、前記電力倍率は、前記第１の電力に対する前記最大送信電力の比率以下である、決定することと、を含む、請求項１に記載の方法。
【請求項８】
前記最大送信電力は、
前記装置の最大送信電力又は最大利用可能送信電力、
前記サブフレーム内のすべてのキャリアでの最大送信電力又は最大利用可能送信電力、
前記サブフレーム内の現在のキャリアでの最大送信電力又は最大利用可能送信電力、
前記制御チャネル又は前記データチャネルに設定される、又は示される最大送信電力、及び
基地局によって設定される最大送信電力値、又はあらかじめ定められた最大送信電力値
のうちの１つである、請求項１から７のいずれか一項に記載の方法。
【請求項９】
当該方法はさらに、前記装置によって、前記最大送信電力及び第１のパラメータに基づいてデータチャネルの送信電力及び／又は制御チャネルの送信電力を決定する前に、
前記第１のリンクのキャリアが第１のタイプのキャリアであると決定することを含む、請求項１から８のいずれか一項に記載の方法。
【請求項１０】
前記第１のパラメータは、前記第１のリンクのキャリアのキャリアタイプを含み、前記装置によって、前記最大送信電力及び第１のパラメータに基づいてデータチャネルの送信電力及び制御チャネルの送信電力を決定することは、
前記第１のリンクのキャリアが第２のタイプのキャリアであるとき、前記データチャネルの最大送信電力を前記データチャネルの送信電力として決定すること、及び／又は
前記データチャネルの送信電力、前記データチャネルの帯域幅、及び前記制御チャネルの帯域幅に基づいて前記制御チャネルの送信電力を決定すること、又は
前記制御チャネルの最大送信電力を前記制御チャネルの最大送信電力として決定すること、を含む、請求項１から９のいずれか一項に記載の方法。
【請求項１１】
前記第１のタイプのキャリアは、前記第１のリンクのキャリアが前記第１のリンク及び第２のリンクを含むこと、前記第１のリンクのキャリアが電力制御パラメータを決定するために使用される参照信号を含むこと、前記第１のリンクのキャリアのタイプが指示情報に基づいて前記第１のタイプのキャリアであると決定されること、及び前記第１のリンクのキャリアの送信電力パラメータを決定するための指示情報が含まれることの特性のうちの少なくとも１つに基づいて決定される、請求項９又は請求項９に従属する請求項１０に記載の方法。
【請求項１２】
前記第２のタイプのキャリアは、前記第１のリンクのキャリアが第１の送信のみを含むこと、前記第１のリンクのキャリアが前記電力制御パラメータを決定するために使用される参照信号を含まないこと、前記第１のリンクのキャリアの送信電力パラメータを決定するための指示情報が含まれないこと、又は前記第１のリンクのキャリアのタイプが前記指示情報に基づいて前記第２のタイプのキャリアであると決定されることの特性のうちの少なくとも１つに基づいて決定される、請求項１０に従属する請求項１１に記載の方法。
【請求項１３】
前記データチャネルの第２の電力値は、前記装置とサービングセルの間のパスロスに基づいて決定される電力値である、又は
前記データチャネルの第２の電力値は、前記データチャネルでの最大電力値と、前記装置とサービングセルの間のパスロスに基づいて決定される電力値とのうちの小さい方の値である、及び
前記制御チャネルの第３の電力は、前記装置と前記サービングセルの間の前記パスロスに基づいて決定される前記制御チャネルの電力値である、若しくは
前記制御チャネルの第３の電力は、前記データチャネルの電力値と、前記データチャネル及び前記制御チャネルの帯域幅とに基づいて決定される電力値である、又は
前記制御チャネルの第３の電力値は、前記データチャネルでの最大電力値と、前記装置と前記サービングセルの間の前記パスロスに基づいて決定される前記データチャネルの電力値とのうちの小さい方の値である、請求項１から１２のいずれか一項に記載の方法。
【請求項１４】
前記データチャネルに対して、前記第１の追加項目は、
【数１】
2019533364.tif 000091
として表され、ＭＰＳＣＣＨは前記制御チャネルの送信帯域幅を示し、ＭＰＳＳＣＨは前記データチャネルの送信帯域幅を示す、請求項６及び請求項６に従属する請求項８から１３のうちのいずれか一項に記載の方法。
【請求項１５】
前記制御チャネルに対して、前記第１の追加項目は、
【数２】
2019533364.tif 000092
として表され、ＭＰＳＣＣＨは前記制御チャネルの送信帯域幅を示し、ＭＰＳＳＣＨは前記データチャネルの送信帯域幅を示す、請求項６及び請求項６に従属する請求項８から１４のうちのいずれか一項に記載の方法。
【請求項１６】
前記制御チャネルは物理サイドリンク制御チャネル（ＰＳＣＣＨ）であり、前記データチャネルは物理サイドリンク共有チャネル（ＰＳＳＣＨ）である、請求項１４又は１５に記載の方法。
【請求項１７】
前記制御チャネルの送信電力は、式
【数３】
2019533364.tif 000093
で表され、ＰＣＭＡＸ，ｃは前記最大送信電力である、請求項１４から１６のいずれか一項に記載の方法。
【請求項１８】
前記データチャネルの送信電力は、式
【数４】
2019533364.tif 000094
で表され、ＰＣＭＡＸ，ｃは前記最大送信電力である、請求項１４から１７のいずれか一項に記載の方法。
【請求項１９】
取得ユニットであって、該取得ユニットは最大送信電力を取得するように構成される、取得ユニットと、
決定ユニットであって、該決定ユニットは前記最大送信電力及び第１のパラメータに基づいて、データチャネルの送信電力及び／又は制御チャネルの送信電力を決定するように構成され、該第１のパラメータは、前記データチャネルの帯域幅、前記制御チャネルの帯域幅、又は第１のリンクのキャリアのキャリアタイプのうちの少なくとも１つを含む、決定ユニットと、
送信ユニットであって、該送信ユニットは前記制御チャネル及び前記データチャネルを同じサブフレーム内で送信するように構成される、送信ユニットと、を含む装置。
【請求項２０】
前記決定ユニットは、第１の電力と前記最大送信電力の間の比例関係に基づいて電力倍率を決定することであって、該第１の電力は前記データチャネルの第２の電力と前記制御チャネルの第３の電力との合計であり、該第２の電力は前記第１のパラメータに含まれる前記データチャネルの帯域幅及び／又は前記制御チャネルの帯域幅に基づいて決定され、該第３の電力は前記第１のパラメータに含まれる前記データチャネルの帯域幅及び／又は前記制御チャネルの帯域幅に基づいて決定される、決定することと、
前記電力倍率に基づいて前記制御チャネルの送信電力及び／又は前記データチャネルの送信電力を決定することと、を行うように構成される、請求項１９に記載の装置。
【請求項２１】
前記決定ユニットは、前記第１の電力に対する前記最大送信電力の比率を決定することと、前記電力倍率の値として前記比率と１のうちの小さい方の値を決定することと、を行うように構成される、請求項２０に記載の装置。
【請求項２２】
前記決定ユニットは、前記データチャネルの送信電力として、前記電力倍率と前記第２の電力との積を使用すること、及び／又は前記制御チャネルの送信電力として、前記電力倍率と前記第３の電力との積を使用すること、を行うように構成される、請求項２０又は２１に記載の装置。
【請求項２３】
前記決定ユニットは、
第１の電力が前記最大送信電力よりも大きいかどうかを決定することであって、前記第１の電力が前記データチャネルの第２の電力と前記制御チャネルの第３の電力との合計である、決定すること、
前記第１の電力が前記最大送信電力よりも大きいとき、前記最大送信電力、前記制御チャネルの送信帯域幅、及び前記データチャネルの送信帯域幅に基づいて前記データチャネルの送信電力を決定すること、及び／又は
前記最大送信電力、前記制御チャネルの送信帯域幅、及び前記データチャネルの送信帯域幅に基づいて、前記制御チャネルの送信電力を決定すること、又は
前記データチャネルの送信電力、前記制御チャネルの送信帯域幅、及び前記データチャネルの送信帯域幅に基づいて、前記制御チャネルの送信電力を決定すること、を行うように構成される、請求項１９に記載の装置。
【請求項２４】
前記決定ユニットは、前記最大送信電力と第１の追加項目との合計に基づいて、前記制御チャネルの送信電力及び／又は前記データチャネルの送信電力を決定することを行うように構成され、前記第１の追加項目は、前記制御チャネルの帯域幅及び前記データチャネルの帯域幅に基づいて決定される、請求項１９又は２３に記載の装置。
【請求項２５】
前記決定ユニットは、第１の電力が前記最大送信電力よりも大きいかどうかを決定することであって、前記第１の電力は前記データチャネルの第２の電力と前記制御チャネルの第３の電力との合計である、決定することと、前記第１の電力が前記最大送信電力よりも大きいとき、電力倍率及び前記第２の電力に基づいて前記データチャネルの送信電力を決定し、該電力倍率及び前記第３の電力に基づいて前記制御チャネルの送信電力を決定することであって、前記電力倍率は、前記第１の電力に対する前記最大送信電力の比率以下である、決定することと、行うように構成される、請求項１９に記載の装置。
【請求項２６】
前記最大送信電力は、
前記装置の最大送信電力又は最大利用可能送信電力、
前記サブフレーム内のすべてのキャリアでの最大送信電力又は最大利用可能送信電力、
前記サブフレーム内の現在のキャリアでの最大送信電力又は最大利用可能送信電力、
前記制御チャネル又は前記データチャネルに設定される、又は示される最大送信電力、及び
基地局によって設定される最大送信電力値、又はあらかじめ定められた最大送信電力値
のうちの１つである、請求項１９から２５のいずれか一項に記載の装置。
【請求項２７】
前記決定ユニットは、さらに
前記第１のリンクのキャリアが第１のタイプのキャリアであると決定することを行うように構成される、請求項１９から２６のいずれか一項に記載の装置。
【請求項２８】
前記決定ユニットは、前記第１のリンクのキャリアが第２のタイプのキャリアであるとき、前記データチャネルの最大送信電力を前記データチャネルの送信電力として決定する、及び／又は前記データチャネルの送信電力、前記データチャネルの帯域幅、及び前記制御チャネルの帯域幅に基づいて前記制御チャネルの送信電力を決定する、又は前記制御チャネルの最大送信電力を前記制御チャネルの最大送信電力として決定する、ように構成される、請求項１９から２７のいずれか一項に記載の装置。
【請求項２９】
前記第１のタイプのキャリアは、前記第１のリンクのキャリアが前記第１のリンク及び第２のリンクを含むこと、前記第１のリンクのキャリアが電力制御パラメータを決定するために使用される参照信号を含むこと、前記第１のリンクのキャリアのタイプが指示情報に基づいて前記第１のタイプのキャリアであると決定されること、又は前記第１のリンクのキャリアの送信電力パラメータを決定するための指示情報が含まれることの特性のうちの少なくとも１つに基づいて決定される、請求項２７又は請求項２７に従属する請求項２８に記載の装置。
【請求項３０】
前記第２のタイプのキャリアは、前記第１のリンクのキャリアが第１の送信のみを含むこと、前記第１のリンクのキャリアが前記電力制御パラメータを決定するために使用される参照信号を含まないこと、前記第１のリンクのキャリアの送信電力パラメータを決定するための指示情報は含まれないこと、又は前記第１のリンクのキャリアのタイプは前記指示情報に基づいて前記第２のタイプのキャリアであると決定されることの特性のうちの少なくとも１つに基づいて決定される、請求項２８に従属する２９に記載の装置。
【請求項３１】
前記データチャネルの第２の電力値は、前記装置とサービングセルの間のパスロスに基づいて決定される電力値である、又は
前記データチャネルの第２の電力値は、前記データチャネルでの最大電力値と、前記装置とサービングセルの間のパスロスに基づいて決定される電力値とのうちの小さい方の値である、及び
前記制御チャネルの第３の電力は、前記装置と前記サービングセルの間の前記パスロスに基づいて決定される前記制御チャネルの電力値である、若しくは
前記制御チャネルの第３の電力は、前記データチャネルの電力値と、前記データチャネル及び前記制御チャネルの帯域幅とに基づいて決定される電力値である、又は
前記制御チャネルの第３の電力値は、前記データチャネルでの最大電力値と、前記装置と前記サービングセルの間の前記パスロスに基づいて決定される前記データチャネルの電力値とのうちの小さい方の値である、請求項１９から３０のいずれか一項に記載の装置。
【請求項３２】
前記データチャネルに対して、前記第１の追加項目は、
【数５】
2019533364.tif 000095
として表され、ＭＰＳＣＣＨは前記制御チャネルの送信帯域幅を示し、ＭＰＳＳＣＨは前記データチャネルの送信帯域幅を示す、請求項２４及び請求項２４に従属する請求項２６から３１のうちのいずれか一項に記載の装置。
【請求項３３】
前記制御チャネルに対して、前記第１の追加項目は、
【数６】
2019533364.tif 000096
として表され、ＭＰＳＣＣＨは前記制御チャネルの送信帯域幅を示し、ＭＰＳＳＣＨは前記データチャネルの送信帯域幅を示す、請求項２４及び請求項２４に従属する請求項２６から３２のうちのいずれか一項に記載の装置。
【請求項３４】
前記制御チャネルは物理サイドリンク制御チャネル（ＰＳＣＣＨ）であり、前記データチャネルは物理サイドリンク共有チャネル（ＰＳＳＣＨ）である、請求項３２又は３３に記載の装置。
【請求項３５】
前記制御チャネルの送信電力は、式
【数７】
2019533364.tif 000097
で表され、ＰＣＭＡＸ，ｃは前記最大送信電力である、請求項３２から３４のいずれか一項に記載の装置。
【請求項３６】
前記データチャネルの送信電力は、式
【数８】
2019533364.tif 000098
で表され、ＰＣＭＡＸ，ｃは前記最大送信電力である、請求項３２から３５のいずれか一項に記載の装置。
【請求項３７】
前記装置は端末デバイスである、請求項１９から３６のいずれか一項に記載の装置。
【請求項３８】
コンピュータに請求項１から１８のいずれか一項に記載の方法を実行させるプログラム。
【国際調査報告】
2019533364.tif 000099
2019533364.tif 000100
2019533364.tif 000101
2019533364.tif 000102